(57)【特許請求の範囲】
【請求項１】
ユーザに使用され得る外部デバイスと接続されており、逐次放送されるコンテンツを逐次受信して記録媒体に蓄積し、蓄積した各コンテンツをユーザの利用に供する受信端末装置であって、
第１記録媒体と、
前記外部デバイスから、当該外部デバイスが少なくともユーザに使用されておらずコンテンツを記録可能な状態にあるか否かを示すデバイス状態情報を取得するデバイス情報取得手段と、
放送される複数のコンテンツを逐次受信し第１記録媒体に蓄積する受信蓄積手段と、
前記第１記録媒体に蓄積された複数のコンテンツそれぞれに対して消去の基準となる日時である期限を定める期限決定手段と、
第１記録媒体に蓄積された複数のコンテンツそれぞれを該当する前記期限が経過した後に消去する消去手段と、
ユーザによるコンテンツの指定を受け付ける指定受付手段と、
前記指定受付手段により受け付けられたユーザの指定に係るコンテンツを前記消去より前に前記第１記録媒体から前記外部デバイスに備えられた第２記録媒体に転送可能か否かを判断し、転送可能であれば当該コンテンツを特定する情報要素を保存コンテンツリストに登録することにより当該コンテンツの転送を予定する転送予定手段と、
前記デバイス状態情報に基づき前記外部デバイスがコンテンツを記録可能な状態にあるときに、前記保存コンテンツリストを参照して前記転送予定手段により転送が予定されたコンテンツを前記消去より前に第１記録媒体から当該外部デバイスを介して第２記録媒体に転送し、前記保存コンテンツリストから転送したコンテンツに係る情報要素を削除する転送手段とを備え、
前記転送予定手段は、前記第１記録媒体に蓄積された前記複数のコンテンツのうち前記指定受付手段により受け付けられた指定に係るコンテンツが複数である場合には、前記期限決定手段により定められた期限が早い順にコンテンツを特定する情報要素を前記保存コンテンツリストに順序付けて登録することにより、前記期限決定手段により定められた期限が早いコンテンツから順に前記転送が行われるように転送を予定し、
前記転送手段は、前記保存コンテンツリストにおけるコンテンツを特定する情報要素の順序に従って、前記転送予定手段に予定された順にコンテンツの転送を行い、転送する毎に前記保存コンテンツリストから転送したコンテンツに係る情報要素を削除する
ことを特徴とする受信端末装置。
【請求項２】
前記受信端末装置はさらに、前記外部デバイスからコンテンツの転送を中断すべき旨の指示を受ける中断受付手段を備え、
前記転送手段は、前記中断受付手段が中断すべき旨の指示を受け付けた場合には、転送を中断し再度外部デバイスがコンテンツを記録可能な状態になったときに転送を再開する
ことを特徴とする請求項１記載の受信端末装置。
【請求項３】
前記受信端末装置は複数の外部デバイスに接続されており、
前記指定受付手段はさらに、ユーザによる外部デバイスの指定を受け付け、
前記デバイス情報取得手段は、前記指定受付手段により受け付けられたユーザの指定に係る外部デバイスから、前記デバイス状態情報を取得し、
前記転送手段は前記デバイス状態情報に基づき前記ユーザの指定に係る外部デバイスがコンテンツを記録可能な状態にあるときに、前記転送予定手段により転送が予定されたコンテンツを第１記録媒体から当該外部デバイスを介して第２記録媒体へ転送する
ことを特徴とする請求項１記載の受信端末装置。
【請求項４】
前記受信端末装置は複数の外部デバイスに接続されており、
前記受信端末装置はさらに、
コンテンツについての複数のデータ形式それぞれと、当該データ形式のコンテンツを取り扱うことができる外部デバイスとを対応付けたデバイス決定用情報を記憶するデバイス決定用情報記憶手段と、
前記デバイス決定用情報に基づいて、前記指定受付手段により受け付けられたユーザの指定に係るコンテンツのデータ形式に対応する外部デバイスを保存先デバイスとして決定する保存先デバイス決定手段とを備え、
前記デバイス情報取得手段は、前記保存先デバイスとして決定された外部デバイスから、前記デバイス状態情報を取得し、
前記転送手段は前記デバイス状態情報に基づき前記保存先デバイスとして決定された外部デバイスがコンテンツを記録可能な状態にあるときに、前記転送予定手段により転送が予定されたコンテンツを第１記録媒体から当該外部デバイスを介して第２記録媒体へ転送する
ことを特徴とする請求項１記載の受信端末装置。
【請求項５】
前記デバイス決定用情報は、各データ形式に、当該データ形式のコンテンツを取り扱うことができる複数の外部デバイスを優先度を付して対応付けた情報であり、
前記保存先デバイス決定手段は、前記デバイス決定用情報に基づいて、前記指定受付手段により受け付けられたユーザの指定に係るコンテンツのデータ形式に対応する外部デバイスのうち優先度の高いものから順に、当該外部デバイスに備えられた第２記録媒体の空き容量が当該コンテンツの保存に十分であるかを検査して、空き容量が十分である外部デバイスのうち優先度の高いものを保存先デバイスとして決定する
ことを特徴とする請求項４記載の受信端末装置。
【請求項６】
前記受信端末装置は複数の外部デバイスに接続されており、
前記受信端末装置はさらに、
コンテンツの内容種別を表す複数のジャンルそれぞれと外部デバイスとを対応付けたデバイス決定用情報を記憶するデバイス決定用情報記憶手段と、
前記デバイス決定用情報に基づいて、前記指定受付手段により受け付けられたユーザの指定に係るコンテンツのジャンルに対応する外部デバイスを保存先デバイスとして決定する保存先デバイス決定手段とを備え、
前記デバイス情報取得手段は、前記保存先デバイスとして決定された外部デバイスから、前記デバイス状態情報を取得し、
前記転送手段は前記デバイス状態情報に基づき前記保存先デバイスとして決定された外部デバイスがコンテンツを記録可能な状態にあるときに、前記ユーザの指定に係るコンテンツを第１記録媒体から当該外部デバイスを介して第２記録媒体へ転送する
ことを特徴とする請求項１記載の受信端末装置。
【請求項７】
前記転送手段は、前記ユーザの指定に係るコンテンツの転送先となる外部デバイスの能力を示す情報に基づいて転送に用いる帯域を決定し、当該帯域を用いて前記ユーザの指定に係るコンテンツの転送を行う
ことを特徴とする請求項１記載の受信端末装置。
【請求項８】
前記受信端末装置はさらに、
前記転送手段によるコンテンツの転送が完了した場合に完了の旨をユーザに通知する通知手段を備える
ことを特徴とする請求項１記載の受信端末装置。
【請求項９】
前記転送予定手段は、前記指定受付手段によりコンテンツの指定が受け付けられた時に当該コンテンツが前記受信蓄積手段により受信されていない場合には、前記受信蓄積手段により前記指定に係るコンテンツが受信されて第１記録媒体に蓄積され次第、当該コンテンツを第１記録媒体から第２記録媒体に転送し始めるよう予定し、
前記転送手段は、前記転送予定手段による予定に従ってコンテンツの転送を行う
ことを特徴とする請求項１記載の受信端末装置。
【請求項１０】
前記指定受付手段は、コピー禁止を示す情報を含んでいるコンテンツについてはユーザが指定できないようにし、コピー禁止を示す情報を含んでいないコンテンツのユーザによる指定を受け付ける
ことを特徴とする請求項１記載の受信端末装置。
【請求項１１】
前記受信端末装置は、前記第１記録媒体を備え、
前記第２記録媒体は、前記受信端末装置と接続されておりユーザに使用され得る外部デバイスに備えられたものであり、
前記転送予定手段は、前記指定受付手段により受け付られたユーザの指定に係るコンテンツがコピー制限を示す情報を含んでいる場合には、前記外部デバイスがコピー制限に関する機能を有するか否かを判定し、当該外部デバイスがコピー制限に関する機能を有するときにのみ前記コンテンツを第１記録媒体から当該外部デバイスを介して第２記録媒体へ転送するよう予定する
ことを特徴とする請求項１０記載の受信端末装置。
【請求項１２】
ユーザに使用され得る外部デバイスと接続されており、逐次放送されるコンテンツを逐次受信して第１記録媒体に蓄積し、蓄積した各コンテンツをユーザの利用に供する受信端末装置において用いられるコンテンツ保存方法であって、
前記外部デバイスから、当該外部デバイスが少なくともユーザに使用されておらずコンテンツを記録可能な状態にあるか否かを示すデバイス状態情報を取得するデバイス情報取得ステップと、
前記第１記録媒体に蓄積された複数のコンテンツそれぞれに対して消去の基準となる日時である期限を定める期限決定ステップと、
前記第１記録媒体に蓄積された複数のコンテンツそれぞれを該当する前記期限が経過した後に消去する消去ステップと、
ユーザによるコンテンツの指定を受け付ける指定受付ステップと、
前記指定受付ステップにより受け付けられたユーザの指定に係るコンテンツを前記消去より前に前記第１記録媒体から前記外部デバイスに備えられた第２記録媒体に転送可能か否かを判断し、転送可能であれば当該コンテンツを特定する情報要素を保存コンテンツリストに登録することにより当該コンテンツの転送を予定する転送予定ステップと、
前記デバイス状態情報に基づき前記外部デバイスがコンテンツを記録可能な状態にあるときに、前記保存コンテンツリストを参照して前記転送予定ステップにより転送が予定されたコンテンツを前記消去より前に第１記録媒体から当該外部デバイスを介して第２記録媒体に転送し、前記保存コンテンツリストから転送したコンテンツに係る情報要素を削除する転送ステップとを含み、
前記転送予定ステップは、前記第１記録媒体に蓄積された前記複数のコンテンツのうち前記指定受付ステップにより受け付けられた指定に係るコンテンツが複数である場合には、前記期限決定ステップにより定められた期限が早い順にコンテンツを特定する情報要素を前記保存コンテンツリストに順序付けて登録することにより、前記期限決定ステップにより定められた期限が早いコンテンツから順に前記転送が行われるように転送を予定するものであり、
前記転送ステップは、前記保存コンテンツリストにおけるコンテンツを特定する情報要素の順序に従って、前記転送予定ステップに予定された順にコンテンツの転送を行い、転送する毎に前記保存コンテンツリストから転送したコンテンツに係る情報要素を削除するものである
ことを特徴とするコンテンツ保存方法。
【請求項１３】
ＣＰＵを備え、ユーザに使用され得る外部デバイスと接続されており、逐次放送されるコンテンツを逐次受信して第１記録媒体に蓄積し、蓄積した各コンテンツをユーザの利用に供する受信端末装置に、コンテンツ保存処理を行わせるための制御プログラムであって、
前記コンテンツ保存処理は、
前記外部デバイスから、当該外部デバイスが少なくともユーザに使用されておらずコンテンツを記録可能な状態にあるか否かを示すデバイス状態情報を取得するデバイス情報取得ステップと、
前記第１記録媒体に蓄積された複数のコンテンツそれぞれに対して消去の基準となる日時である期限を定める期限決定ステップと、
前記第１記録媒体に蓄積された複数のコンテンツそれぞれを該当する前記期限が経過した後に消去する消去ステップと、
ユーザによるコンテンツの指定を受け付ける指定受付ステップと、
前記指定受付ステップにより受け付けられたユーザの指定に係るコンテンツを前記消去より前に前記第１記録媒体から前記外部デバイスに備えられた第２記録媒体に転送可能か否かを判断し、転送可能であれば当該コンテンツを特定する情報要素を保存コンテンツリストに登録することにより当該コンテンツの転送を予定する転送予定ステップと、
前記デバイス状態情報に基づき前記外部デバイスがコンテンツを記録可能な状態にあるときに、前記保存コンテンツリストを参照して前記転送予定ステップにより転送が予定されたコンテンツを前記消去ステップにより消去される前に第１記録媒体から当該外部デバイスを介して第２記録媒体に転送し、前記保存コンテンツリストから転送したコンテンツに係る情報要素を削除する転送ステップとを含み、
前記転送予定ステップは、前記第１記録媒体に蓄積された前記複数のコンテンツのうち前記指定受付ステップにより受け付けられた指定に係るコンテンツが複数である場合には、前記期限決定ステップにより定められた期限が早い順にコンテンツを特定する情報要素を前記保存コンテンツリストに順序付けて登録することにより、前記期限決定ステップにより定められた期限が早いコンテンツから順に前記転送が行われるように転送を予定するものであり、
前記転送ステップは、前記保存コンテンツリストにおけるコンテンツを特定する情報要素の順序に従って、前記転送予定ステップに予定された順にコンテンツの転送を行い、転送する毎に前記保存コンテンツリストから転送したコンテンツに係る情報要素を削除するものである
ことを特徴とする制御プログラム。
【発明の詳細な説明】
【０００１】
【発明の属する技術分野】
本発明は、放送されたコンテンツを受信してハードディスク等の記録媒体に蓄積する受信端末装置に関し、特に、記録媒体に蓄積したコンテンツをユーザに長期間利用可能とするために保存する技術に関する。
【０００２】
【従来の技術】
通信技術、マルチメディア関連技術等の発展を背景として、近年、データ蓄積型の放送システムの研究、開発が行われている。
蓄積型の放送システムとは、テレビ番組、音楽、映画、ゲーム、新聞等の各コンテンツを放送する放送装置と、放送されたコンテンツを受信して大容量のハードディスク等の記録媒体内に蓄積しておきそのコンテンツをユーザが必要とするときに表示、再生等できるようにする受信端末装置とを含んで構成される放送システムである。なお、放送装置から放送されたコンテンツは、放送装置から離れた位置に所在する多数の受信端末装置それぞれに受信されることが想定されている。
【０００３】
蓄積型の放送システムにおいては基本的に、ユーザが各コンテンツを利用開始できる日時はコンテンツ毎に事前に定められており、放送装置はその定められている日時以前に受信端末装置がそのコンテンツを受信して蓄積できるように、各コンテンツを放送する。また、受信端末装置は、各家屋等に設置され、受信して蓄積したコンテンツを表示、再生等するためにテレビモニタ、ＶＩＤＥＯ録画再生機器、オーディオ機器、パーソナルコンピュータ等に接続されることが想定されている。また、基本的にコンテンツはその種類に応じて例えばＭＰＥＧ（Ｍｏｖｉｎｇ  Ｐｉｃｔｕｒｅ  Ｃｏｄｉｎｇ  Ｅｘｐｅｒｔ  Ｇｒｏｕｐ）規格等に則って圧縮されて放送され、受信端末装置はコンテンツを圧縮された状態で記録媒体に蓄積し、表示、再生等を行う場合にそのコンテンツを伸長する。
【０００４】
受信端末装置は、個別指定、チャンネル指定、ジャンル指定等の方法でユーザが指定したコンテンツを、放送されたときに逐次受信して記録媒体に蓄積するのであるが、記録媒体の容量は有限であるため、無制限にコンテンツを蓄積していくことはできない。
このため、受信端末装置には、新たにコンテンツを蓄積するための記録領域を確保すべく、蓄積済みのコンテンツを一定の方式に基づいて消去するような仕組みを設けておく必要がある。ここでいう消去には、蓄積済みのコンテンツを記録している領域に新たなコンテンツを上書きすることによって、その蓄積済みのコンテンツを消滅させることも含まれる。
【０００５】
即ち、受信端末装置はコンテンツを受信し、受信したコンテンツをユーザの利用に供するために記録媒体に一時的に記録しておく機能を有する装置である。
【０００６】
【発明が解決しようとする課題】
このため、受信端末装置に蓄積されたコンテンツをユーザが利用することができるのは、そのコンテンツが蓄積されてから消去されるまでの期間に限られてしまう。
例えば、新聞が日毎に放送装置から放送され、受信端末装置が新たに受信した新聞を前日に受信して蓄積している新聞に上書きするような方式を用いているならば、ユーザは新たな新聞が放送された時から、前日の新聞を読むことができなくなる。
【０００７】
また、例えばチャンネル指定を含むユーザの指示に基づき、あるチャンネルで放送されるコンテンツを全て受信し順次蓄積するような受信端末装置が、利用開始できる日時から１週間経過したコンテンツを記録媒体の空き容量が不十分となれば消去する方式を用いているならば、ユーザは少なくとも１週間はコンテンツを任意の時に利用することができるが、１週間を経過してからはコンテンツを必ず利用できるとは限らない。
【０００８】
なお、このような記録媒体の容量が有限であることに由来してユーザがコンテンツを利用できる期間が制限される事態は、蓄積型の放送システムにおける受信端末装置のみならず、放送されるコンテンツを受信してユーザの利用に供するためにコンテンツを記録媒体に一時的に記録しておく機能を有するあらゆる受信端末装置において生じ得る。
【０００９】
しかし、ユーザは、受信端末装置によって受信され記録媒体に蓄積されたコンテンツを、蓄積後かなり多くの日時が経過してから利用したい場合もある。
そこで、本発明はこのユーザニーズに対応すべくなされたものであり、放送されるコンテンツを受信して記録媒体に蓄積する受信端末装置であって、記録媒体に蓄積済みのコンテンツをユーザに長期間利用可能にするために保存する受信端末装置を提供することを目的とする。また、かかる受信端末装置において用いられるコンテンツ保存方法、及びかかるコンテンツ保存方法の実行を指示する制御プログラムを提供することを目的とする。
【００１０】
【課題を解決するための手段】
上記目的を達成するために、本発明に係る受信端末装置は、逐次放送されるコンテンツを逐次受信して記録媒体に蓄積し、蓄積した各コンテンツをユーザの利用に供する受信端末装置であって、放送される複数のコンテンツを逐次受信し第１記録媒体に蓄積する受信蓄積手段と、第１記録媒体に蓄積された複数のコンテンツそれぞれを消去する消去手段と、ユーザによるコンテンツの指定を受け付ける指定受付手段と、前記指定受付手段により受け付けられたユーザの指定に係るコンテンツを前記消去より前に前記第１記録媒体から第２記録媒体に転送可能か否かを判断し、転送可能であれば当該コンテンツの転送を予定する転送予定手段と、前記転送予定手段により転送が予定されたコンテンツを前記消去より前に第１記録媒体から第２記録媒体に転送する転送手段とを備えることを特徴とする。
【００１１】
ここでいう消去とは、記録媒体中から完全な状態でのコンテンツの存在を消滅させることであり、コンテンツの一部を消すことや、新たにコンテンツを上書きすることによって結果的に消滅させることも含む。
上記構成により、受信端末装置が逐次受信したコンテンツを蓄積する第１記録媒体の容量が有限であるために、蓄積された複数のコンテンツはいずれ消去されるが、ユーザが保存したいコンテンツを指定するだけでそのコンテンツは消去される前に他の記録媒体に転送できるか否かチェックされ、できる場合には転送がスケジューリングされ、後に転送されるため、第１記録媒体におけるコンテンツが消去された後においても、ユーザはその転送されたコンテンツをいつでも使用することができるようになる。
【００１２】
また、本発明に係るコンテンツ保存方法は、逐次放送されるコンテンツを逐次受信して第１記録媒体に蓄積し、蓄積した各コンテンツをユーザの利用に供する受信端末装置において用いられるコンテンツ保存方法であって、第１記録媒体に蓄積された複数のコンテンツそれぞれを消去する消去ステップと、ユーザによるコンテンツの指定を受け付ける指定受付ステップと、前記指定受付ステップにより受け付けられたユーザの指定に係るコンテンツを前記消去より前に前記第１記録媒体から第２記録媒体に転送可能か否かを判断し、転送可能であれば当該コンテンツの転送を予定する転送予定ステップと、前記転送予定ステップにより転送が予定されたコンテンツを前記消去より前に第１記録媒体から第２記録媒体に転送する転送ステップとを含むことを特徴とする。
【００１３】
これにより、受信端末装置が逐次受信したコンテンツを蓄積する第１記録媒体の容量が有限であるために、蓄積された複数のコンテンツはいずれ消去されるが、ユーザが保存したいコンテンツを指定するだけでそのコンテンツは消去される前に他の記録媒体に転送されるため、ユーザは指定したコンテンツをいつでも使用することができるようになる。
【００１４】
また、本発明に係る制御プログラムは、ＣＰＵを備え、逐次放送されるコンテンツを逐次受信して第１記録媒体に蓄積し、蓄積した各コンテンツをユーザの利用に供する受信端末装置に、コンテンツ保存処理を行わせるための制御プログラムであって、前記コンテンツ保存処理は、第１記録媒体に蓄積された複数のコンテンツそれぞれを消去する消去ステップと、ユーザによるコンテンツの指定を受け付ける指定受付ステップと、前記指定受付ステップにより受け付けられたユーザの指定に係るコンテンツを前記消去より前に前記第１記録媒体から第２記録媒体に転送可能か否かを判断し、転送可能であれば当該コンテンツの転送を予定する転送予定ステップと、前記転送予定ステップにより転送が予定されたコンテンツを前記消去ステップにより消去される前に第１記録媒体から第２記録媒体に転送する転送ステップとを含むことを特徴とする。
【００１５】
この制御プログラムにより、ユーザは、受信端末装置が受信したコンテンツのうち指定したコンテンツをいつでも使用することができるようになる。
【００１６】
【発明の実施の形態】
＜１．実施の形態１＞
以下、本発明の実施の形態１に係る蓄積型の放送システムにおける受信システムについて説明する。
＜１−１．構成＞
図１は、実施の形態１に係る受信システム１０００の構成例を示す図である。
【００１７】
受信システム１０００は、受信端末装置１１００と、受信端末装置１１００に接続されコンテンツの保存や再生を行うための各種デバイスとを含んで構成されるものであり、受信端末装置１１００と、これにＩＥＥＥ１３９４の規定に基づくＩＥＥＥ１３９４シリアルバス（以下、「１３９４ケーブル」という。）で接続された各装置を含んで構成される。各装置としては、例えばデジタルビデオ録画再生装置（Ｄ−ＶＨＳ（１））１２０１、Ｄ−ＶＨＳ（２）１２０２、音楽録音再生装置（ＭＤ）１２０３、テレビモニタ（ＴＶ）１２０４、パーソナルコンピュータ（ＰＣ）１２０５や、図示しないハードディスク装置（ＨＤＤ）、映像音声記録用ハードディスク装置（ＡＶ−ＨＤＤ）等が想定される。
【００１８】
蓄積型の放送システムにおいては、放送装置が予め定められたスケジュールに従って、映画、音楽、新聞等の各コンテンツをユーザが利用できると定められている日時（以下、「利用可能日時」という。）より前に放送する。
放送装置から放送されたコンテンツは、ユーザの指示に応じて受信端末装置１１００によって受信され装置内部のハードディスク等の記録媒体に蓄積される。
【００１９】
コンテンツが蓄積された後にはそのコンテンツをユーザは利用できるようになる。蓄積されたコンテンツは、ユーザによる表示、再生等の指示に応じて、受信端末装置１１００に１３９４ケーブルで接続されたテレビモニタその他のデバイスに伝えられ、そのデバイスによって表示、再生等される。
なお、受信端末装置１１００と他のデバイスとの間では、ＩＥＥＥ１３９４や、バス上に接続された複数の機器間における制御に関するプロトコルであるＩＥＥＥ１３９４ＴｒａｄｅＡｓｓｏｃｉａｔｉｏｎやその他のプロトコルに従って信号の伝達が行われるものとする。
【００２０】
受信端末装置１１００内の記録媒体に蓄積されたコンテンツは、ユーザにより設定された一定期間の経過後には、消去され得るものである。ここではその一定期間を利用可能日時の属する日から１週間とし、受信端末装置１１００は、蓄積した各コンテンツに対して利用可能日時の属する日から１週間先の日を期限として設定し、記録媒体の空き容量が不足している場合等に、その設定した期限が経過しているコンテンツを消去するものとする。
【００２１】
つまり、ユーザは、コンテンツを、そのコンテンツの利用可能日時から１週間内であれば表示、再生等の対象として利用できるが、受信端末装置１１００に対してコンテンツの保存を指示しない限りその１週間より後にはコンテンツを利用できなくなるおそれがある。
ユーザが保存を指示したコンテンツ、即ちあるデバイスへの転送を指示したコンテンツについては、受信端末装置１１００によって、１３９４ケーブルで接続されたそのデバイスに転送され、そのデバイス内のハードディスク等の記録媒体に記録される。従って、転送された後にはいつでもユーザはそのデバイスを操作して、転送されたコンテンツを利用すること、即ち表示、再生等させることができるようになる。
【００２２】
図２は、実施の形態１に係る受信端末装置１１００の機能ブロック図である。
受信端末装置１１００は、放送装置から放送されたコンテンツを受信して蓄積し、また１３９４ケーブルで接続された他のデバイスを制御する機能を有するものであり、いわゆるセットトップボックスに大容量の記録媒体を含めた上で機能拡張した装置である。なお、ユーザは受信端末装置１１００に対して、例えばいわゆるリモコン等により操作を行う。
【００２３】
この受信端末装置１１００は、機能的には、受信部１１１０、記録部１１２０、蓄積部１１３０、制御部１１４０、情報表示部１１５０、入力受付部１１６０、読出部１１７０及び通信部１１８０を備える。
ここで、受信部１１１０は、チューナ及びバッファメモリを有しチューナを制御して、放送されるコンテンツをアンテナ、ケーブル等を介して受信して、例えばデジタル復調等を施して、バッファメモリに格納する機能を有するものである。
【００２４】
記録部１１２０は、制御部１１４０の指示を受け、ユーザの指定に応じたコンテンツをバッファメモリから取り出し、そのコンテンツを蓄積部１１３０に蓄積する機能を有するものである。
蓄積部１１３０は、大容量のハードディスク等の記録媒体を含んで構成され、コンテンツを蓄積することができるものである。
【００２５】
情報表示部１１５０は、制御部１１４０の指示を受けて、例えば受信端末装置１１００に設けられた液晶ディスプレイ等に情報の表示を行うものであり、入力受付部１１６０は例えばリモコン信号受信回路等からなり、いわゆるリモコンから送られる信号を受けることにより、ユーザからのリモコン操作によりなされる指示を受け付けて制御部１１４０に伝えるものである。即ち、情報表示部１１５０及び入力受付部１１６０は、例えばＧＵＩ等のユーザインタフェースを構成するものである。
【００２６】
制御部１１４０は、メモリ、プロセッサ等から構成され、メモリに格納された制御用プログラムをプロセッサが実行することによって、受信端末装置１１００内の各部を制御する機能を実現するものであり、コンテンツ管理情報格納部１１４１とデバイス管理情報格納部１１４２とを有する。
ここで、コンテンツ管理情報格納部１１４１は、蓄積部１１３０に蓄積されたコンテンツに関する情報であるコンテンツ管理情報を格納するメモリ領域であり、デバイス管理情報格納部１１４２は、受信端末装置１１００と１３９４ケーブルで接続された各デバイスに関する情報であるデバイス管理情報を格納するメモリ領域である。なお、コンテンツ管理情報及びデバイス管理情報については後に詳しく説明する。
【００２７】
制御部１１４０は、入力受付部１１６０を通じて蓄積が必要なコンテンツのユーザによる指定を受け付け記録部１１２０を制御する機能や、１３９４ケーブルを通じて接続された他の全てのデバイスについてデバイス名と能力に関するデバイス情報と状態に関する情報とを収集してデバイス管理情報を更新する機能や、記録部１１２０が蓄積したコンテンツについての情報を得てコンテンツ管理情報を更新しておきコンテンツ管理情報に基づいて蓄積したコンテンツの一覧を情報表示部１１５０を介して表示するとともに入力受付部１１６０を介してユーザから保存すべきコンテンツの指示等を受け付けてこの指示に応じてコンテンツを保存するための制御を行う機能等を有する。また、制御部１１４０は、蓄積部１１３０の記録媒体の空き容量が不足している場合、例えば全容量の８０％が使用済みとなっている場合には、設定した期限が経過しているコンテンツ、即ち利用可能日時の属する日から１週間経過しているコンテンツを記録媒体中から消去する機能をも有する。
【００２８】
読出部１１７０は、制御部１１４０の指示を受けて蓄積部１１３０に蓄積されたコンテンツを読み出して通信部１１８０に渡す機能を有するものである。
また、通信部１１８０は、受信端末装置１１００に１３９４ケーブルで接続されたＤ−ＶＨＳ、ＰＣ等のデバイスと通信を行う機能を有し、制御部１１４０の指示を受けて各デバイスにコマンドを送信しそのレスポンスを受信する他、読出部１１７０から渡されたコンテンツをあるデバイスに送信する機能を有するものである。
【００２９】
また、受信端末装置１１００は、現在日時を計時するための計時機構を有しており、制御部１１４０は現在日時を取得することができるようになっている。
図３は、受信端末装置１１００に接続されたＤ−ＶＨＳ、ＭＤ、ＴＶ、ＰＣ、ＨＤＤ、ＡＶ−ＨＤＤ等の代表例を表すデバイス１２００の機能ブロック図である。
【００３０】
デバイス１２００は、ユーザの操作を受けてコンテンツの再生等を行い、また、受信端末装置１１００から送られるコンテンツやコマンドを受信してコマンドに従った処理を行うものであり、入力受付部１２１０、表示部１２２０、コマンド処理部１２３０、蓄積部１２４０、通信部１２５０、記録部１２６０及び再生出力部１２７０を備える。
【００３１】
入力受付部１２１０は、入力用ボタン等を有しユーザの指示を受け付けてコマンド処理部１２３０に伝えるものであり、表示部１２２０は、コマンド処理部１２３０に渡された情報をデバイス１２００に設けられた液晶パネル等に表示するものである。つまり、入力受付部１２１０及び表示部１２２０はユーザインタフェースを構成する。
【００３２】
蓄積部１２４０は大容量のハードディスク等の記録媒体を有しその記録媒体にコンテンツを格納することができるものである。
コマンド処理部１２３０は、メモリ、プロセッサ等から構成され、メモリに格納された制御用プログラムをプロセッサが実行することによって、デバイス１２００内の各部を制御する機能を実現するものであり、入力受付部１２１０を介して受け付けたユーザの指示や、通信部１２５０を介して受信端末装置１１００から伝えられたコマンドに、対応した処理を実行する機能を有する。また、コマンド処理部１２３０は、デバイス名と能力に関するデバイス情報とデバイスの状態に関する情報とを記憶しているデバイス固有情報記憶部１２３１を有する。
【００３３】
ここで、デバイスの能力に関するデバイス情報は、使用可能なコマンドや取り扱うことができるコンテンツの種別や、デバイスがコンテンツを格納するための記録媒体の空き容量等であり、デバイスの状態に関する情報は、デバイスをユーザが現在使用中であるか否か等の情報である。
デバイス固有情報記憶部１２３１は、コンフィグレーションＲＯＭの一領域及び他のメモリで構成され、格納している情報のうち変化しないものはコンフィグレーションＲＯＭ中のＩＥＥＥ１３９４においてデバイスの製造元が任意に使用できるとされている領域に記憶されている。このコンフィグレーションＲＯＭに記憶されている情報は、受信端末装置により読み出され得る。なお、デバイス固有情報記憶部１２３１に格納されている情報のうち変化するもの、即ち記録媒体の空き容量やユーザが使用中か否か等の情報は、コマンド処理部１２３０がユーザ入力に応じて処理を行うときや一定周期毎に、記録媒体の空き容量等の状態を検査してその状態に応じて更新する。
【００３４】
コマンド処理部１２３０は、デバイスに関する情報を、受信端末装置１１００から伝えられた特定のコマンドに対するレスポンスとして通信部１２５０を介して送信する機能をも有する。
通信部１２５０は、外部と１３９４ケーブルを介して通信するものであり、受信端末装置１１００から送られてくるコンテンツやコマンドを受信し、コンテンツを記録部１２６０に渡し、コマンドをコマンド処理部１２３０に渡す機能を有するものである。また、通信部１２５０は、コマンド処理部１２３０からコマンドに対するレスポンスが渡されると受信端末装置１１００に送信する機能をも有する。
【００３５】
記録部１２６０は、コマンド処理部１２３０の指示を受け、通信部１２５０から渡されるコンテンツを蓄積部１２４０に格納する機能を有するものである。
再生出力部１２７０は、コマンド処理部１２３０の指示を受け、蓄積部１２４０に格納されたコンテンツを読み出して表示、再生又は外部出力する機能を有するものであり、例えばＭＰＥＧデコーダ等、圧縮された画像データや音声データを伸長する画像や音声のデコーダ等を含む。
【００３６】
＜１−２．データ＞
以下、受信端末装置１１００が用いるコンテンツ管理情報及びデバイス管理情報について説明する。
図４は、制御部１１４０によりコンテンツ管理情報格納部１１４１に格納されるコンテンツ管理情報２０００のデータ構造及び内容例を示す図である。
【００３７】
コンテンツ管理情報２０００は、記録部１１２０によって蓄積部１１３０に蓄積された各コンテンツについての情報であり、コンテンツを他のデバイスへ保存するために必要な情報が含まれ、同図に示すようにコンテンツ名２００１、日時２００２、種別２００３、ジャンル２００４、量２００５、期限２００６、保存先２００７、保存状況２００８及び保存完了通知２００９から構成される。
【００３８】
ここで、コンテンツ名２００１はコンテンツを識別するための名称その他の情報であり、日時２００２はコンテンツの利用可能日時を示す情報である。
また、種別２００３はコンテンツが映像音声であるか音声であるか静止画であるか文字列であるか等のコンテンツの種別を示す情報である。ここでの種別とは、コンテンツのデータ形式の別をいう。
【００３９】
データ形式には、例えば、ＡＶストリームデータ形式、ＪＰＥＧ（ＪｏｉｎｔＰｈｏｔｏｇｒａｐｈｉｃ  Ｃｏｄｉｎｇ  Ｅｘｐｅｒｔｓ  Ｇｒｏｕｐ）形式、ＷＡＶ形式、ＭＩＤＩ形式、ＭＰ３（ＭＰＥＧ１レイヤ３）形式、テキストデータ形式、プログラムファイル形式等がある。
なお、ここでは便宜上、コンテンツ種別について、映像音声という表現によりＡＶストリーム形式を表し、音声という表現により音楽の波形を示すデータ形式であるＷＡＶ形式を表し、静止画という表現によりＪＰＥＧ形式を表すものとする。ＡＶストリーム形式には、例えば映像信号に関してＭＰＥＧ（ＭｏｖｉｎｇＰｉｃｔｕｒｅ  Ｃｏｄｉｎｇ  Ｅｘｐｅｒｔ  Ｇｒｏｕｐ）２形式で符号化し音声信号についてＭＰＥＧ２レイヤ２形式で符号化したものや、音声信号についてはＭＰＥＧ１レイヤ２形式で符号化したもの等様々あるが、ここでは便宜上、映像音声という表現で表すＡＶストリーム形式は１種類の形式を表すものとして説明する。
【００４０】
ジャンル２００４は、コンテンツの内容面における識別情報であり、例えば、映画、スポーツ、ドラマ、音楽、効果音、新聞、ゲーム等のいずれかを示す。
なお、受信端末装置１１００は例えばＥＰＧ（Ｅｌｅｃｔｒｉｃ  Ｐｒｏｇｒａｍ  Ｇｕｉｄｅ）等を取得する機構を有し、制御部１１４０はそのＥＰＧを参照することにより、或いは蓄積部１１３０に蓄積されたコンテンツにおけるいわゆるヘッダ部分等を参照することにより、コンテンツ名２００１、日時２００２、種別２００３及びジャンル２００４を設定することができる。
【００４１】
量２００５は蓄積部１１３０に蓄積されたコンテンツのデータ量を示す情報である。但し同図では映像音声コンテンツや音声コンテンツについては再生に要する時間でもってデータ量を表している。
期限２００６はコンテンツが消去されないことを保証する期間を表す情報であり、利用可能日時が属する日から１週間先の日が制御部１１４０によって設定される。
【００４２】
保存先２００７は、保存先デバイス、つまりコンテンツの保存先となるデバイスを、識別するデバイス名を示すものであり、コンテンツの保存先としてユーザが指定したデバイス名が設定される。なお、ユーザが保存を指定しないコンテンツについては、デバイス名でなく保存先がない旨を示す値が設定される。
保存状況２００８は、制御部１１４０の制御によってコンテンツの保存が行われたか未だ保存が行われていないか等を示す情報である。
【００４３】
また、保存完了通知２００９は、保存が完了したときにユーザに対して通知を行う必要があるか否かや既に通知を行ったか否かを示す情報である。
同図の例では、６月１日の１０時が利用可能日時である「ＭＯＶＩＥ１」という映画を内容とする映像音声コンテンツは３時間の量で６月８日が期限であり、保存先デバイスはＤ−ＶＨＳ（１）で保存完了通知は必要とユーザに指定され、未だ保存されていないことを示している。また、６月１日の１４時が利用可能日時である「ＳＰＯＲＴＳ２」というスポーツ番組を内容とする映像音声コンテンツは１時間３０分の量で６月８日が期限であり、保存先デバイスはＤ−ＶＨＳ（２）で保存完了通知は不要とユーザに指定され、未だ保存されていないことを示している。また、６月２日の０時が利用可能日時である「ＮＥＷＳ６／２」という新聞である静止画コンテンツは２ＭＢｙｔｅの量で６月９日が期限であり、保存先デバイスはＰＣで既に保存され、保存完了通知もなされていることを示している。
【００４４】
また、６月１日の２１時が利用可能日時である「ＭＵＳＩＣ２」という音楽を内容とする音声コンテンツについては、保存する旨の指示がユーザによって与えられていない、即ち保存が行われないことを示している。
なお、制御部１１４０は、期限経過後のコンテンツを蓄積部１１３０から消去したときにコンテンツ管理情報２０００中のそのコンテンツについての情報を削除するものとする。
【００４５】
図５は、制御部１１４０によりデバイス管理情報格納部１１４２に格納されるデバイス管理情報２１００のデータ構造及び内容例を示す図である。
デバイス管理情報２１００は、受信端末装置１１００に接続された各デバイスについて、制御部１１４０が通信部１１８０を介して収集したデバイス名２１０１、デバイス情報２１０２及び状態２１０３と、そのデバイスを保存先としてコンテンツの保存処理を行う予定の時間に関する保存予約情報２１０４とから構成される。
【００４６】
なお、各デバイスからの、各デバイスに関する情報の収集は、各デバイスのコンフィグレーションＲＯＭから読み出して或いは各デバイスに対して特定のコマンドによって問い合わせてレスポンスを得ることにより、なされる。コマンドとは例えばＩＥＥＥ１３９４ＴＡで規定されているＡＶ／Ｃコマンドであり、受信端末装置１１００は、ＩＥＥＥ１３９４のアシンクロナスパケットのＦＣＰフレームを用いてＡＶ／Ｃコマンドを各デバイスに送ることにより、各デバイスが対応できるＡＶ／Ｃコマンドのコマンドリストをレスポンスとして受け取ることができる。
【００４７】
デバイス管理情報２１００においてデバイス名２１０１は、各デバイスを識別するための名称である。
デバイス情報２１０２は例えばコンテンツの再生を指定する「ＰＬＡＹ」等の使用可能なコマンドや、取り扱うことができるコンテンツの種別や、記録媒体の空き容量や、転送されたコンテンツを受信して処理できる速度等を示す情報である。
【００４８】
状態２１０３はそのデバイスをユーザが現在使用中であるか否かを示す情報である。
また、保存予約情報２１０４は、そのデバイスを保存先として保存処理を行う対象となるコンテンツの名称と、保存処理の開始時間と終了時間とを対応付けた情報である。
【００４９】
同図の例では、Ｄ−ＶＨＳ（１）については、映像音声を保存することができ、使用可能なコマンドが「ｘｘ」等であり、ユーザが使用しておらず使用可能状態であって、６月３日の１０時から１０時５０分までにおいて「ＭＯＶＩＥ５１」というコンテンツの保存処理の実行が予約され、６月３日の１０時５０分から１２時５分までにおいて「ＭＯＶＩＥ１」というコンテンツの保存処理の実行が予約され、６月３日の１３時から１４時までにおいて「ＭＯＶＩＥ５３」というコンテンツの保存処理の実行が予約されていることを示している。
【００５０】
また、Ｄ−ＶＨＳ（２）については、映像音声を保存することができ、使用可能なコマンドが「ｘｘ」等であり、ユーザが使用中であって、６月３日の１１時から１１時３３分までにおいて「ＳＰＯＲＴＳ２」というコンテンツの保存処理の実行が予約されていることを示している。
＜１−３．動作＞
以下、上述した構成を備える受信システム１０００の動作について説明する。
【００５１】
受信端末装置１１００は、例えばＥＰＧを情報表示部１１５０により表示する等して、ユーザから受信して蓄積すべきコンテンツの指定を受け、指定されたコンテンツが放送されたときにこれを受信部１１１０により受信し記録部１１２０によって蓄積部１１３０に蓄積する。
こうしてコンテンツを蓄積すると、制御部１１４０はそのコンテンツに対する期限を利用可能日時の属する日から１週間先と定め、コンテンツ管理情報格納部１１４１に格納されたコンテンツ管理情報に蓄積済みのコンテンツに関する情報を追加し、コンテンツ名２００１、日時２００２、種別２００３、ジャンル２００４、量２００５及び期限２００６を設定する。なお、コンテンツ管理情報がまだコンテンツ管理情報格納部１１４１に格納されていなかった場合には、新たにコンテンツ管理情報を作成して格納することになる。
【００５２】
＜１−３−１．保存指示対応処理＞
受信端末装置１１００は、ユーザから保存の指示を行う意味の操作がなされ、これを入力受付部１１６０により受け付けた場合に、保存指示対応処理を行う。例えば、いわゆるリモコンに「保存予約」と描かれたボタンを予め設けておき、ユーザにそのボタンが押下されると、保存の指示が行われたものと扱うこととする。
【００５３】
この保存指示対応処理は、ユーザによる保存の指示を受けた場合に保存処理の実行を予約するために行う処理である。
以下、保存指示対応処理について説明する。
図６は、受信端末装置１１００がユーザによる保存の指示を受けた場合に保存処理の実行を予約するために行う保存指示対応処理を示すフローチャートである。
【００５４】
受信端末装置１１００の制御部１１４０は、通信部１１８０を介して、受信端末装置１１００と１３９４ケーブルで接続されている他の全てのデバイスについてデバイス名、デバイス情報及び使用中か否かの状態を示す情報を収集し、デバイス管理情報格納部１１４２に格納されたデバイス管理情報を更新する（ステップＳ１０１）。なお、デバイス管理情報がまだデバイス管理情報格納部１１４２に格納されていなかった場合には、新たにデバイス管理情報を作成して格納することになる。
【００５５】
デバイスに関する情報を収集した後、制御部１１４０はコンテンツ管理情報に基づき、蓄積部１１３０に蓄積されている各コンテンツについてコンテンツ名、日時、種別、ジャンル、量、期限等からなる一覧表を作成して情報表示部１１５０を介して表示し（ステップＳ１０２）、入力受付部１１６０を介してユーザから保存すべきコンテンツの指定を受け付け、また保存が完了した場合に通知が必要である場合にはユーザから保存完了通知要求を受け付ける（ステップＳ１０３）。
【００５６】
保存すべきコンテンツの指定等を受け付けた後、制御部１１４０は、そのコンテンツの種別に応じて保存先となり得るデバイスを、デバイス管理情報を参照することにより検索し、検索したデバイスの一覧を情報表示部１１５０を介して表示する（ステップＳ１０４）。これに対し、ユーザが表示されたデバイスの一覧を見て、１つのデバイスを選択することにより、そのデバイスを保存先として指定すると、制御部１１４０は入力受付部１１６０を介してユーザから保存先となるデバイスの指定を受け付ける（ステップＳ１０５）。
【００５７】
保存先デバイスの指定を受け付けた後、制御部１１４０はデバイスの記録媒体の空き容量がコンテンツの保存に十分かを判断する（ステップＳ１０６）。即ち、制御部１１４０はコンテンツ管理情報とデバイス管理情報を参照してデバイスの記録媒体の空き容量は、保存すべきコンテンツの量以上あるかを判断する。なお、制御部１１４０は、既に保存処理の実行が予約されているコンテンツについてのデータ量も参照した上で、予約済みコンテンツの保存に加えて更にステップＳ１０３により指定されたコンテンツの保存を行うために十分な空き容量があるかを判断する。
【００５８】
ステップＳ１０６において空き容量が十分でないと判断した場合には、制御部１１４０は情報表示部１１５０を介してエラーメッセージを表示し（ステップＳ１１１）、保存指示対応処理を終了する。
また、ステップＳ１０６において空き容量が十分であると判断した場合には、制御部１１４０は保存すべきと指定されたコンテンツのデータ量や、保存先のデバイスが転送されるデータを受信して処理できる速度等の情報から保存に要する時間を算出し、デバイス管理情報の保存予約情報を参照して、そのコンテンツの期限までの間に、保存に要する時間分の連続した空き時間、即ち保存処理の実行が予定されていない時間があるかを調べる（ステップＳ１０７）。
【００５９】
ステップＳ１０７において、保存に要する時間分の連続した空き時間がある場合には、制御部１１４０は、その空き時間のうち早い時刻を保存処理の開始時刻と定めて、保存先デバイスについての保存予約情報２１０４に、保存すべきコンテンツのコンテンツ名と保存処理の開始時刻及び終了時刻とを追加し、コンテンツ管理情報の保存先２００７にはユーザに指定されたデバイスを設定し保存状況２００８は未保存の旨を示すように設定しユーザにされた指定に応じて保存完了通知２００９を必要又は不要を示すように設定し（ステップＳ１０８）、保存指示対応処理を終了する。
【００６０】
また、ステップＳ１０７において、保存に要する時間分の連続した空き時間がない場合には、制御部１１４０は、保存すべきコンテンツの期限までの間のデバイスの空き時間を合計すれば、保存に要する時間分以上あるか調べ（ステップＳ１０９）、ない場合には情報表示部１１５０を介してエラーメッセージを表示して（ステップＳ１１１）、保存指示対応処理を終了する。
【００６１】
またステップＳ１０９において、制御部１１４０は、空き時間の合計が保存に要する時間以上あると判断した場合には、空き時間のうち早いものから順に複数の空き時間を使って複数回に分けて保存処理を行うこととし、デバイス管理情報中の保存予約情報２１０４に、保存すべきコンテンツのコンテンツ名と保存処理の開始時刻及び終了時刻との組を複数個追加し、コンテンツ管理情報の保存先２００７にはユーザに指定されたデバイスを設定し保存状況２００８を未保存の旨を示すように設定しユーザにされた指定に応じて保存完了通知２００９を必要又は不要を示すように設定し（ステップＳ１１０）、保存指示対応処理を終了する。
【００６２】
なお、ステップＳ１１０でコンテンツを複数回の保存処理により保存するようにした場合、つまりコンテンツを分割して予約する場合には、保存予約情報２１０４にはあるコンテンツについてのどの部分的範囲の保存処理であるかという情報を含ませるものとする。この部分的範囲は、コンテンツにおけるその部分に対するタイムスタンプ等の時刻情報や、その部分が蓄積されている記録媒体におけるアドレス情報等で定められる。
【００６３】
図７は、コンテンツの保存に関する各種指定をユーザに行わせるために受信端末装置１１００が表示する画面の例である。
画面３００１は、ステップＳ１０２により表示されるコンテンツの一覧であり、これに対してユーザは保存したコンテンツを選択することになる。
画面３００２は保存完了通知を要するか否かをユーザに指定させる画面であり、ステップＳ１０３において保存完了通知要求の入力を受け付けるために表示するものである。
【００６４】
また、画面３００３は、ステップＳ１０４により表示されるデバイスの一覧であり、これに対してユーザは保存先デバイスを選択することになる。
図８は、各デバイスに対して保存予約情報によって定められるところの保存処理を実行する予定の一例を予定表形式で示した図である。
予定表３０１２は、予定表３０１１に示した状態においてＤ−ＶＨＳ（１）には新たに＃１で示すコンテンツの保存処理の予約を行いＤ−ＶＨＳ（２）には新たに＃２で示すコンテンツの保存処理の予約を行った結果の状態を示したものである。予定表３０１２に示す＃１に示すコンテンツの保存処理は分割されて予約されている。この＃１で示す予約はステップＳ１１０によりなされ、＃２で示す予約はステップＳ１０８によりなされるものである。
【００６５】
＜１−３−２．保存予約取消指示対応処理＞
次に、ユーザが保存予約の取り消しを望む場合に受信端末装置１１００が実行する保存予約取消指示対応処理について説明する。
上述の保存指示対応処理はユーザが保存を望むコンテンツ等を指定するものであるが、受信端末装置１１００は、一度保存予約がなされたコンテンツについてユーザがその保存予約を取り消すための手段も提供する。即ち、受信端末装置１１００は、ユーザから保存予約の取り消しの指示を行う意味の操作がなされ、これを入力受付部１１６０により受け付けた場合に、保存予約取消指示対応処理を行う。例えば、いわゆるリモコンに「保存予約取消」と描かれたボタンを定めておき、ユーザにそのボタンが押下されると、保存予約の取り消しの指示が行われたものと扱うこととする。
【００６６】
図９は、受信端末装置１１００がユーザによる保存予約の取り消しの指示を受けた場合に行う保存予約取消指示対応処理を示すフローチャートである。
受信端末装置１１００の制御部１１４０は、コンテンツ管理情報に基づき、蓄積部１１３０に蓄積されている各コンテンツのうち保存が予約され、かつ保存が完了していないものについて、コンテンツ名、日時、種別、ジャンル、量、期限、保存先、保存状況等を示す一覧表を作成して情報表示部１１５０を介して表示する（ステップＳ１２１）。
【００６７】
図１０は、保存予約取消指示対応処理のステップＳ１２１により受信端末装置１１００が液晶ディスプレイ等に表示する画面の例である。
同図に示す画面では、保存状況が未保存、或いは一部保存済のコンテンツに関する情報が一覧表示されている。一部保存済とは、保存先デバイスにおいてコンテンツの期限までの間に保存に要する時間分の連続した空き時間がないことやコンテンツの転送が中断されたことに起因して、コンテンツの保存処理が複数回に分割されて予約された場合において既に１回以上の保存処理が実行された状況であり、後述する保存処理によりコンテンツ管理情報２０００が更新され保存状況２００８に一部保存済の旨が設定されている状況である。なお、複数回に分割されて予約された保存処理の全てが完了した場合には、保存状況は一部保存済から保存済に更新される。
【００６８】
同図に示すような画面に対応してユーザが保存予約を取り消したいコンテンツを選択すると、制御部１１４０は、入力受付部１１６０を介してコンテンツの選択を受け付け（ステップＳ１２２）、選択されたコンテンツが一部保存済であるか未保存であるかをコンテンツ管理情報を参照して判断し（ステップＳ１２３）、未保存であれば保存処理の予約の取り消しを行い（ステップＳ１２４）、保存予約取消指示対応処理を終了する。
【００６９】
なお、ステップＳ１２４における保存処理の予約の取り消しは、コンテンツ管理情報２０００中のユーザに選択されたコンテンツについての保存先２００７を参照することにより得られるデバイス名のデバイスについてのデバイス管理情報２１００中の保存予約情報から、その選択されたコンテンツについての情報を削除し、さらにその保存先２００７を「なし」の旨を示す値に更新するという手順で行われる。
【００７０】
また、ステップＳ１２３において、選択されたコンテンツが一部保存済であると判断した場合には、制御部１１４０は、そのコンテンツについてのコンテンツ管理情報２０００中の保存先２００７を参照することにより得られるデバイス名のデバイスに対して、そのコンテンツを記録媒体から削除するように指示する旨の削除コマンドを通信部１１８０を介して送信し（ステップＳ１２５）、保存処理の予約の取り消しを行い（ステップＳ１２４）、保存予約取消指示対応処理を終了する。なお、削除コマンドのパラメータとしてコンテンツ名が削除コマンドとともに送信され、受信端末装置１１００に接続されている各デバイスは、削除コマンドで指示されたコンテンツを記録媒体から削除する機能、即ちパラメータで指定されたコンテンツ名と対応付けられて管理されている記録媒体中の領域を解放する機能を有することとしてもよく、その機能を有している場合にはコンテンツの削除を行う。
【００７１】
＜１−３−３．保存処理＞
次に、受信端末装置１１００がユーザによる保存の指示を受けた後に実行する保存処理について説明する。
図１１は、受信端末装置１１００が行う保存処理を示すフローチャートである。
【００７２】
受信端末装置１１００の制御部１１４０は、受信端末装置１１００内の計時機構から現在日時を得て、デバイス管理情報格納部１１４２に格納されているデバイス管理情報中の保存予約情報２１０４を参照することにより、保存処理の実行が予定されている日時になったコンテンツを検索する（ステップＳ２０１）。保存処理の実行が予定されている日時になったコンテンツがなければ、例えば１分間待機して再び保存処理の実行が予定されている日時に到ったコンテンツがないかどうかを検索するという手順を繰り返す。
【００７３】
検索により保存処理の実行が予定されている日時に至ったコンテンツを検出した後、制御部１１４０はその検出したコンテンツの保存先となるデバイスに関する情報を通信部１１８０を介して取得し、デバイス管理情報格納部１１４２に格納されたデバイス管理情報を更新する（ステップＳ２０２）。これにより、空き容量や使用中か否か等、保存先となるデバイスの現在の状態に関する情報が、デバイス管理情報格納部１１４２に格納されているデバイス管理情報に反映されることになる。
【００７４】
保存先となるデバイスに関する情報を収集した後、制御部１１４０は、デバイス管理情報を参照して保存先となるデバイスにおける記録媒体の空き容量が十分かを判断し（ステップＳ２０３）、十分でなければエラーメッセージの通知等といったエラー処理を行い（ステップＳ２０４）、保存処理を終了する。なお、空き容量は十分かの判断は、保存対象となるコンテンツのデータ量と空き容量とを比較することにより行われる。
【００７５】
空き容量が十分であった場合には、制御部１１４０は保存先となるデバイスをユーザが使用中か否かを判断し（ステップＳ２０５）、使用中であればデバイス管理情報中の保存予約情報２１０４を参照して例えば１時間等といった所定時間後より以降で空き時間を探してその空き時間を保存処理の実行予定とするように予約をし直し、即ち保存予約情報２１０４を更新して（ステップＳ２０６）、保存処理を終了する。
【００７６】
ステップＳ２０５において保存先となるデバイスをユーザが使用中でない場合、即ち使用可能状態である場合には、制御部１１４０は、通信部１１８０を介してデバイスに保存コマンドを伝え、保存対象のコンテンツをそのデバイスに転送する（ステップＳ２０７）。
ここで、保存コマンドは、保存の動作を行わせるためのコマンドをいい、デバイスに関する情報を収集してデバイス管理情報中のデバイス情報２１０２として設定した情報において定まるものである。受信端末装置１１００からデバイスに関する情報がステップＳ１０１等により収集されたときに、各デバイスは保存の動作を行わせるためのコマンドについてのコマンド名等の情報を受信端末装置１１００に伝えているものとする。なお、制御部１１４０は保存コマンドを保存先となるデバイスに送る場合に、保存コマンドのパラメータとして、保存するコンテンツのコンテンツ名やコンテンツのデータ量等を含めるものとする。
【００７７】
また、デバイスにコンテンツを転送する場合に、保存予約情報２１０４中にコンテンツの部分的範囲が指定されているもの、即ち分割して保存することとされているものについては、その部分的範囲だけを転送することとする。なお、保存先となるデバイスにおける保存コマンドを受信した場合の動作については後述する。
【００７８】
デバイスに保存コマンドを伝えコンテンツを転送した後、制御部１１４０は、コンテンツの転送が中断されたか否かを判断し（ステップＳ２０８）、中断された場合にはコンテンツのうち転送が未完了の部分について再度予約をし直し、即ちデバイス管理情報中の保存予約情報２１０４を参照して空き時間にその未完了の部分の保存処理を行うことと決めて保存予約情報２１０４にコンテンツ名と保存処理の開始時刻及び終了時刻とを設定し（ステップＳ２０９）、一部保存済みを表すようにコンテンツ管理情報中の保存状況２００８を設定して、既に実行した保存処理に関する情報を保存予約情報２１０４から削除し（ステップＳ２１０）、保存処理を終了する。なお、コンテンツの転送中に、保存先となるデバイスをユーザが使用した場合には、保存先のデバイスは受信端末装置１１００に対して中断の旨を伝えるものとし、受信端末装置１１００は中断の旨が伝えられた時点でコンテンツの転送を中断、つまりコンテンツの途中までで転送を終了する。
【００７９】
また、ステップＳ２０８において中断されていないと判断した場合には、制御部１１４０はコンテンツ全ての転送が完了したか、それとも分割されて予約されたコンテンツの部分的範囲の転送が完了しただけかを保存予約情報２１０４を参照して判断し（ステップＳ２１１）、コンテンツ全ての転送が完了していない場合には、一部保存済みを表すようにコンテンツ管理情報中の保存状況２００８に設定して、既に実行した保存処理に関する情報を保存予約情報２１０４から削除し（ステップＳ２１０）、保存処理を終了する。
【００８０】
ステップＳ２１１においてコンテンツ全ての転送が完了したと判断した場合は、制御部１１４０はそのコンテンツについてのコンテンツ管理情報中の保存完了通知２００９を参照して、保存完了通知が必要とされているか否かを判断する（ステップＳ２１２）。
ステップＳ２１２において保存完了通知が必要されていると判断した場合には、制御部１１４０は情報表示部１１５０を介して、保存したコンテンツ名と保存が完了した旨を示すメッセージを表示することにより保存の完了をユーザに通知し、コンテンツ管理情報中の保存完了通知２００９を通知済みの旨を示すように更新する（ステップＳ２１３）。
【００８１】
ステップＳ２１２において保存完了通知が必要とされていないと判断した場合、又はステップＳ２１３の実行後、制御部１１４０は、コンテンツ管理情報中の保存状況２００８を保存済みの旨を示すように更新し、デバイス管理情報中の保存予約情報２１０４から既に実行した保存処理に関する情報を削除し（ステップＳ２１４）、保存処理を終了する。
【００８２】
例えば、図４のコンテンツ管理情報２０００中の「ＭＵＳＩＣ１」という音声コンテンツに関する情報の例は、ステップＳ２１４によって保存済みの旨を示すようにされた結果を表している。
なお、受信端末装置１１００は、ステップＳ２０１からＳ２１４で示した保存処理を繰り返し実行する。
【００８３】
＜１−３−４．保存コマンド処理＞
以下、受信端末装置１１００による保存処理に対応して他のデバイスが実行する保存コマンド処理について説明する。
図１２は、保存処理に対応してデバイス１２００が実行する保存コマンド処理を示すフローチャートである。
【００８４】
デバイス１２００のコマンド処理部１２３０は、受信端末装置１１００から通信部１２５０を介して保存コマンドを受信するとコンテンツの一部を既に蓄積部１２４０に保存しているか否かを判断し（ステップＳ３０１）、既に保存していなければ蓄積部１２４０の記録媒体中に保存用の領域を確保する（ステップＳ３０２）。この領域の確保は、保存コマンドのパラメータであるデータ量に基づき行われ、ステップＳ３０２の結果として保存すべきコンテンツ全体を格納するに足る領域が確保される。なお、確保した領域は、デバイス１２００のコマンド処理部１２３０において、保存コマンドのパラメータであるコンテンツ名と対応づけて管理され、この対応づけがステップＳ３０１の判断において参照され、コマンド処理部１２３０は、保存コマンドのパラメータで指定されたコンテンツ名に対応する領域が存在すれば一部を既に保存していると判断するものとする。
【００８５】
ステップＳ３０１において、コンテンツの一部を既に蓄積部１２４０に保存していると判断した場合、又はステップＳ３０２を実行した後、コマンド処理部１２３０は、受信端末装置１１００から転送されたコンテンツを通信部１２５０を介して受信し、そのコンテンツを記録部１２６０に、蓄積部１２４０の記録媒体中のコンテンツ名と対応づけられている領域に記録させる（ステップＳ３０３）。なお、コマンド処理部１２３０は、受信したコンテンツを形式変換して記録媒体中に記録するように制御するものであってもよく、例えばＭＤはＷＡＶ形式のコンテンツを受信してＭＤ用の形式に圧縮、変換して記録する機能を有するものとしてもよい。
【００８６】
このステップＳ３０３によりコンテンツはデバイス１２００の記録媒体中に保存されることになる。ステップＳ３０３において、記録部１２６０は、既に蓄積部１２４０の記録媒体中に確保された保存用の領域にコンテンツの一部が保存されている場合には、その続きとなる領域に、受信端末装置１１００から転送されたコンテンツを記録するものとする。
【００８７】
なお、ステップＳ３０３の実行中に、入力受付部１２１０を介してユーザによる操作が受け付けられる等によって保存を中断しなければならない場合には、コマンド処理部１２３０は通信部１２５０を介して受信端末装置１１００に対して中断の旨を通知する。
こうしてステップＳ３０３によってコンテンツの保存が完了した後は、ユーザがそのコンテンツの表示、再生等を指示した場合に再生出力部１２７０によって表示、再生等がなされる。
【００８８】
また、受信端末装置１１００においては、蓄積部１１３０の記録媒体の空き容量が不足している場合、例えば全容量の８０％が使用済みとなっている場合には、制御部１１４０は、コンテンツ管理情報を参照して、設定した期限が経過しているコンテンツを消去する。
＜１−４．考察＞
蓄積型の放送システムにおいてコンテンツを受信する受信端末装置が受信したコンテンツを一旦蓄積する大容量の記録媒体の記録可能容量は有限であるために、受信端末装置１１００は一度蓄積したコンテンツをいずれ消去して新たなコンテンツの蓄積のための空き領域を確保する。このため長期的に利用したいコンテンツをその受信端末装置１１００の記録媒体から他のデバイスの記録媒体にコピーして保存することをユーザが望む場合があり、上述したように受信システム１０００はこの要望に応え、ユーザが保存を望むコンテンツと保存先とするデバイスとを指定するだけで、ユーザがそのデバイスを使用していない時間を使ってそのコンテンツの保存を行う。
【００８９】
これにより、例えば、ユーザは放送された映像音声コンテンツを保存したい場合、保存を開始する時刻等をＤ−ＶＨＳ等に設定しなくても、そのコンテンツの指定と保存先とを指定するだけで、保存したい映像音声コンテンツが受信端末装置に蓄積された後にＤ−ＶＨＳに、ユーザに使用されておらずかつ録画予約の入っていない時間、例えば夜中等の時間を利用して、保存することができるようになる。
＜２．実施の形態２＞
以下、本発明の実施の形態２に係る蓄積型の放送システムにおける受信システムについて説明する。実施の形態２に係る受信システムは、実施の形態１に係る受信システムと受信端末装置の一部についてのみ異なるので、受信端末装置を中心に説明する。
【００９０】
実施の形態１に係る受信端末装置１１００は、ユーザに保存を指定されたコンテンツについて保存を予約すること、即ち保存先のデバイスの空き時間を調べて保存処理を実行する日時を定めてデバイス管理情報中の保存予約情報２１０４を設定することとしたが、実施の形態２に係る受信端末装置は、ユーザに保存を指定された全てのコンテンツについて期限が早い順に並べて順次保存するものである。なお、実施の形態２に係る受信端末装置において実施の形態１に係る受信端末装置１１００と同一の部分については、詳しい説明を省略する。
【００９１】
＜２−１．構成＞
図１３は、実施の形態２に係る受信端末装置５１００の機能ブロック図である。なお、同図中、図２に示したものと同一機能の部分については同一の符号を付している。
受信端末装置５１００は、放送されたコンテンツを受信して蓄積し、また１３９４ケーブルで接続された他のデバイスを制御する機能を有するものであり、機能的には、受信部１１１０、記録部１１２０、蓄積部１１３０、制御部５１４０、情報表示部１１５０、入力受付部１１６０、読出部１１７０及び通信部１１８０を備える。受信端末装置５１００が実施の形態１に係る受信端末装置１１００と異なる点は、制御部５１４０のみである。
【００９２】
ここで、制御部５１４０は、メモリ、プロセッサ等から構成され、メモリに格納された制御用プログラムをプロセッサが実行することによって、受信端末装置５１００内の各部を制御する機能を実現するものであり、デバイス別保存コンテンツリスト格納部５１４３とコンテンツ管理情報格納部１１４１とデバイス管理情報格納部５１４２とを有する。
【００９３】
デバイス管理情報格納部５１４２は、受信端末装置５１００と１３９４ケーブルで接続された各デバイスに関する情報であるデバイス管理情報を格納するメモリ領域である。なお、デバイス管理情報格納部５１４２に格納されるデバイス管理情報は実施の形態１で示したデバイス管理情報２１００から保存予約情報２１０４を除いたものである。
【００９４】
また、デバイス別保存コンテンツリスト格納部５１４３は、受信端末装置５１００と１３９４ケーブルで接続された各デバイスを保存先とするコンテンツの情報をデバイス毎にリスト形式で格納するメモリ領域である。なお、以下、このデバイス別保存コンテンツリスト格納部５１４３の内容をデバイス別保存コンテンツリストという。
【００９５】
また、制御部５１４０は、入力受付部１１６０を通じて蓄積が必要なコンテンツのユーザによる指定を受け付け記録部１１２０を制御する機能や、１３９４ケーブルを通じて接続された他の全てのデバイスについて、デバイス名と能力に関するデバイス情報と状態に関する情報とを収集してデバイス管理情報を更新する機能や、記録部１１２０が蓄積したコンテンツについての情報を得てコンテンツ管理情報を更新しておきコンテンツ管理情報に基づいて蓄積したコンテンツの一覧を情報表示部１１５０を介して表示するとともに入力受付部１１６０を介してユーザから保存すべきコンテンツの指示等を受け付けてこの指示に応じてデバイス別保存コンテンツリストを更新してコンテンツを保存するための制御を行う機能等を有する。また、制御部５１４０は、蓄積部１１３０の記録媒体の空き容量が不足している場合、例えば全容量の８０％が使用済みとなっている場合には、設定した期限が経過しているコンテンツ、即ち利用可能日時の属する日から１週間経過しているコンテンツを記録媒体中から消去する機能をも有する。
【００９６】
＜２−２．データ＞
以下、デバイス別保存コンテンツリスト格納部５１４３に格納されるデバイス別保存コンテンツリストについて説明する。
図１４は、デバイス別保存コンテンツリストの内容例を示す図であり、図１５は、デバイス別保存コンテンツリストの１要素のデータ構造を示す図である。
【００９７】
デバイス別保存コンテンツリストは、受信端末装置５１００に１３９４ケーブルで接続されておりコンテンツの保存が可能な全てのデバイスそれぞれに対し、そのデバイスを保存先としてユーザに指定された全てのコンテンツそれぞれに関する情報を１つの要素としてリスト形式で各要素を接続したものである。即ち、デバイス別保存コンテンツリストは、デバイス毎の保存コンテンツリストの集合である。なお、各保存コンテンツリストにおける各要素の接続は、例えばいわゆるポインタチェーンの方式で実現される。
【００９８】
図１５に示すように、保存コンテンツリストの１つの要素は、コンテンツ名とデータ量と期限とから構成される。
図１４ではＤ−ＶＨＳ（１）及びＤ−ＶＨＳ（２）を保存先とする保存コンテンツリスト４１００及び４２００を例示している。デバイス毎の保存コンテンツリストには、保存が指定されたコンテンツのうち期限が早いものを示す要素から順番に接続されている。
【００９９】
例えば、Ｄ−ＶＨＳ（１）についての保存コンテンツリスト４１００には、６月６日が期限である２時間の「ＭＯＶＩＥ５１」というコンテンツを表す要素を先頭として、以下順に、６月７日が期限である２時間２４分の「ＭＯＶＩＥ５３」というコンテンツを表す要素、６月８日が期限である３時間の「ＭＯＶＩＥ１」というコンテンツを表す要素、６月１０日が期限である３時間の「ＭＯＶＩＥ５」というコンテンツを表す要素が接続されている。
【０１００】
また、Ｄ−ＶＨＳ（２）についての保存コンテンツリスト４２００には、６月８日が期限である１時間３０分の「ＳＰＯＲＴＳ２」というコンテンツを表す要素を先頭として、次に６月９日が期限である３時間の「ＳＰＯＲＴＳ４」というコンテンツを表す要素が接続されている。
以下、あるコンテンツを表す要素が保存コンテンツリストに接続されることを、コンテンツが保存コンテンツリストに登録されるという。
【０１０１】
＜２−３．動作＞
以下、実施の形態２に係る受信システムの動作のうち、実施の形態１に係る受信システム１０００の動作と異なる点となる、受信端末装置による保存指示対応処理と保存予約取消指示対応処理と保存処理とについて説明する。
＜２−３−１．保存指示対応処理＞
受信端末装置５１００は、ユーザから保存の指示を行う意味の操作がなされ、これを入力受付部１１６０により受け付けた場合に、保存指示対応処理を行う。
【０１０２】
図１６は、受信端末装置５１００がユーザによる保存の指示を受けた場合に保存処理の実行を予約するために行う保存指示対応処理を示すフローチャートである。同図に示したステップＳ５０１〜Ｓ５０５は、図６に示したステップＳ１０１〜Ｓ１０５と同一であるため、ステップＳ５０１〜Ｓ５０５については詳しい説明を省略する。
【０１０３】
受信端末装置５１００の制御部５１４０は、通信部１１８０を介して、受信端末装置５１００と１３９４ケーブルで接続されている他の全てのデバイスについてデバイス名、デバイス情報及び使用中か否かの状態を示す情報を収集し、デバイス管理情報格納部５１４２に格納されたデバイス管理情報を更新する（ステップＳ５０１）。デバイスに関する情報を収集した後、制御部５１４０はコンテンツ管理情報格納部１１４１に格納されているコンテンツ管理情報に基づき、蓄積部１１３０に蓄積されている各コンテンツについてコンテンツ名、日時、種別、ジャンル、量、期限等からなる一覧表を作成して情報表示部１１５０を介して表示し（ステップＳ５０２）、入力受付部１１６０を介してユーザから保存すべきコンテンツの指定を受け付け、また保存が完了した場合に通知が必要である場合にはユーザから保存完了通知要求を受け付ける（ステップＳ５０３）。保存すべきコンテンツの指定等を受け付けた後、制御部５１４０は、そのコンテンツの種別に応じて保存先となり得るデバイスを、デバイス管理情報を参照して検索し、検索したデバイスの一覧を情報表示部１１５０を介して表示し（ステップＳ５０４）、入力受付部１１６０を介してユーザから保存先となるデバイスの指定を受け付ける（ステップＳ５０５）。
【０１０４】
保存先のデバイスの指定を受け付けた後、制御部５１４０はそのデバイスの記録媒体の空き容量がコンテンツの保存に十分かを判断する（ステップＳ５０６）。即ち、制御部５１４０はコンテンツ管理情報とデバイス管理情報とそのデバイスについての保存コンテンツリストとを参照して、デバイスの記録媒体の空き容量は、保存コンテンツリストに登録されている全てのコンテンツについてのデータ量の合計値と保存対象として新たにユーザに指定されたコンテンツのデータ量との和以上あるかを判断する。
【０１０５】
ステップＳ５０６において空き容量が十分でないと判断した場合には、制御部５１４０は情報表示部１１５０を介してエラーメッセージを表示し（ステップＳ５０９）、保存指示対応処理を終了する。
また、ステップＳ５０６において空き容量が十分であると判断した場合には、制御部５１４０は、保存先のデバイスについての保存コンテンツリストに登録されている全てのコンテンツのデータ量や、保存対象として新たにユーザに指定されたコンテンツのデータ量や、保存先のデバイスが転送されるデータを受信して処理できる速度等の情報から保存に要する時間を算出することによって、保存コンテンツリストに登録された各コンテンツ及び新たにユーザに指定されたコンテンツがそれぞれの期限内に保存できるか否かを判断する（ステップＳ５０７）。
【０１０６】
ステップＳ５０７において、期限内に保存できないと判断した場合には、制御部５１４０は情報表示部１１５０を介してエラーメッセージを表示し（ステップＳ５０９）、保存指示対応処理を終了する。
また、ステップＳ５０７において、各コンテンツが期限内に保存できると判断した場合には、制御部５１４０はコンテンツ管理情報２０００内のユーザに指定されたコンテンツについての保存先２００７にはユーザに指定されたデバイスを設定し保存状況２００８には未保存の旨を示す値を設定し保存完了通知２００９にはユーザにされた指定に応じて、必要又は不要を示すように設定し、また指定されたコンテンツを保存先のデバイスについての保存コンテンツリストに登録して（ステップＳ５０８）、保存指示対応処理を終了する。なお、制御部５１４０は、この保存コンテンツリストへの登録の際に、保存コンテンツリストの各要素が期限の早い順になるように各要素を並べ直す。
【０１０７】
こうして保存コンテンツリストに登録されたコンテンツは、保存処理の実行が予約されたことになる。
＜２−３−２．保存予約取消指示対応処理＞
次に、ユーザが保存予約の取り消しを望む場合に受信端末装置５１００が実行する保存予約取消指示対応処理について説明する。
【０１０８】
受信端末装置５１００が実行する保存予約取消指示対応処理は、実施の形態１で示した受信端末装置１１００が実行する保存予約取消指示対応処理と基本的には同じである（図９参照）。
但し、ステップＳ１２４における保存処理の予約の取り消しは、コンテンツ管理情報２０００中のユーザに選択されたコンテンツについての保存先２００７を参照することにより得られるデバイス名のデバイスについての保存コンテンツリストから、その選択されたコンテンツについての情報を削除し、さらにその保存先２００７を「なし」の旨を示す値に更新するという手順で行われる。
【０１０９】
また、ステップＳ１２３において、選択されたコンテンツが一部保存済であると判断した場合には、制御部５１４０は、そのコンテンツについてのコンテンツ管理情報２０００中の保存先２００７を参照することにより得られるデバイス名のデバイスに対して、そのコンテンツを記録媒体から削除するように指示する旨の削除コマンドを通信部１１８０を介して送信し（ステップＳ１２５）、保存処理の予約の取り消しを行い（ステップＳ１２４）、保存予約取消指示対応処理を終了する。なお、削除コマンドのパラメータとしてコンテンツ名が削除コマンドとともに送信され、受信端末装置５１００に接続されている各デバイスは、削除コマンドで指示されたコンテンツを記録媒体から削除する機能、即ちパラメータで指定されたコンテンツ名と対応付けられて管理されている記録媒体中の領域を解放する機能を有することとしてもよく、その機能を有している場合にはコンテンツの削除を行う。
【０１１０】
＜２−３−３．保存処理＞
図１７は、受信端末装置５１００が行う保存処理を示すフローチャートである。
同図に示す保存処理は、デバイス毎に行われるものであり、ここではコンテンツの保存先となる１つのデバイスに関しての保存処理について説明する。
【０１１１】
受信端末装置５１００の制御部５１４０は、通信部１１８０を介して、１３９４ケーブルで接続されているコンテンツの保存先となるデバイスに関する情報を収集し、デバイス管理情報格納部５１４２に格納されたデバイス管理情報を更新する（ステップＳ６０１）。これにより、空き容量や使用中か否か等、保存先となるデバイスの現在の状態に関する情報がデバイス管理情報に反映されることになる。デバイスの情報を収集した後、制御部５１４０はそのデバイスが使用中であるか否かを判断し（ステップＳ６０２）、使用中であれば一定時間、例えば１０分間待機し（ステップＳ６０３）、再度ステップＳ６０１の処理を行う。
【０１１２】
また、ステップＳ６０２においてそのデバイスが使用中でないと判断した場合には、制御部５１４０は保存コンテンツリストの先頭に登録されているコンテンツに着目し（ステップＳ６０４）、デバイス管理情報を参照してデバイスにそのコンテンツを保存するために十分な空き容量があるかを判断する（ステップＳ６０５）。なおステップＳ６０４では、例えば、デバイスがＤ−ＶＨＳ（１）であり保存コンテンツリストが図１４に示すものであった場合には、「ＭＯＶＩＥ５１」に着目することになる。ここで、着目とは処理対象にすることをいい、例えば処理対象の所在を特定するポインタ情報等をその着目したものの所在を特定するように更新することをいう。
【０１１３】
ステップＳ６０５において空き容量が十分でないと判断した場合には、制御部５１４０は情報表示部１１５０を介してエラーメッセージを表示する等のエラー処理を行って（ステップＳ６１１）、保存処理を終了する。
また、ステップＳ６０５において空き容量が十分であると判断した場合には、制御部５１４０は保存先のデバイスに保存コマンドを伝えて着目しているコンテンツをそのデバイスに転送する（ステップＳ６０６）。なお、保存コマンドについては実施の形態１において説明した通りのものである。また、コンテンツを転送する際に制御部５１４０はコンテンツ管理情報中の保存状況２００８を参照して、そのコンテンツが一部保存済みである場合には、続きの部分から転送することとする。
【０１１４】
デバイスに保存コマンドを伝えてコンテンツを転送した後、制御部５１４０は、コンテンツの転送が中断されたか否かを判断し（ステップＳ６０７）、中断された場合には保存処理を終了する。なお、制御部５１４０は、中断された場合にはコンテンツ管理情報中の転送したコンテンツに関する保存状況２００８を、一部保存済みを表すように設定しておく。この一部保存済みを表すように設定する際には、保存状況２００８に、以後コンテンツ中のどこから転送を行えばよいかを示す情報をも含めておくこととする。
【０１１５】
ステップＳ６０７において中断されていないと判断した場合は、制御部５１４０は転送したコンテンツについてのコンテンツ管理情報中の保存完了通知２００９を参照して、保存完了通知が必要とされているか否かを判断する（ステップＳ６０８）。
ステップＳ６０８において保存完了通知が必要されていると判断した場合には、制御部５１４０は情報表示部１１５０を介して、保存したコンテンツ名と保存が完了した旨を示すメッセージを表示することにより保存の完了をユーザに通知し、コンテンツ管理情報中の保存完了通知２００９を通知済みの旨を示すように更新する（ステップＳ６０９）。
【０１１６】
ステップＳ６０８において保存完了通知が必要とされていないと判断した場合、又はステップＳ６０９の実行後、制御部５１４０は、コンテンツ管理情報中の保存状況２００８を保存済みの旨を示すように更新し、保存コンテンツリストの先頭に接続されているところの転送したコンテンツに関する要素を削除し（ステップＳ６１０）、保存処理を終了する。
【０１１７】
なお、受信端末装置５１００は、保存コンテンツリストで要素が１以上接続されているものに対応する各デバイスに対してステップＳ６０１からＳ６１０で示した保存処理を繰り返し実行する。
＜３．実施の形態３＞
以下、本発明の実施の形態３に係る蓄積型の放送システムにおける受信システムについて説明する。実施の形態３に係る受信システムは、実施の形態１に係る受信システムと受信端末装置の一部についてのみ異なるので、受信端末装置を中心に説明する。
【０１１８】
実施の形態１に係る受信端末装置１１００は、ユーザに対して保存先となり得るデバイスの一覧を表示し、ユーザから保存先となるデバイスの指定を受け付けることとしたが（ステップＳ１０４、Ｓ１０５）、実施の形態３に係る受信端末装置は、予めユーザに指定された保存先デバイス決定用情報に基づいて保存先となるデバイスを自動的に決定する機能を有するものである。保存先デバイス決定用情報については後述する。
【０１１９】
なお、実施の形態３に係る受信端末装置において実施の形態１に係る受信端末装置１１００と同一の部分については、詳しい説明を省略する。
＜３−１．構成＞
図１８は、実施の形態３に係る受信端末装置６１００の機能ブロック図である。なお、同図中、図２に示したものと同一機能の部分については同一の符号を付している。
【０１２０】
受信端末装置６１００は、放送されたコンテンツを受信して蓄積し、また１３９４ケーブルで接続された他のデバイスを制御する機能を有するものであり、機能的には、受信部１１１０、記録部１１２０、蓄積部１１３０、制御部６１４０、情報表示部１１５０、入力受付部１１６０、読出部１１７０及び通信部１１８０を備える。受信端末装置６１００が実施の形態１に係る受信端末装置１１００と異なる点は、制御部６１４０のみである。
【０１２１】
ここで、制御部６１４０は、メモリ、プロセッサ等から構成され、メモリに格納された制御用プログラムをプロセッサが実行することによって、受信端末装置６１００内の各部を制御する機能を実現するものであり、保存先デバイス決定用情報格納部６１４４とコンテンツ管理情報格納部１１４１とデバイス管理情報格納部１１４２とを有する。
【０１２２】
保存先デバイス決定用情報格納部６１４４は、一旦蓄積したコンテンツの保存先となるデバイスを決定するために用いられる保存先デバイス決定用情報を格納する不揮発性のメモリ領域である。
また、制御部６１４０は、入力受付部１１６０を通じて蓄積が必要なコンテンツのユーザによる指定を受け付け記録部１１２０を制御する機能や、１３９４ケーブルを通じて接続された他の全てのデバイスについてデバイス名と能力に関するデバイス情報と状態に関する情報とを収集してデバイス管理情報を更新する機能や、記録部１１２０が蓄積したコンテンツについての情報を得てコンテンツ管理情報を更新しておきコンテンツ管理情報に基づいて蓄積したコンテンツの一覧を情報表示部１１５０を介して表示するとともに入力受付部１１６０を介してユーザから保存すべきコンテンツの指示を受け付けて保存先デバイスを決定してコンテンツを保存するための制御を行う機能や、ユーザの指定を受けることにより保存先デバイスを決定するために必要な保存先デバイス決定用情報を生成して保持する機能（以下、「保存先デバイス登録機能」という。）等を有する。
【０１２３】
また、制御部６１４０は、蓄積部１１３０の記録媒体の空き容量が不足している場合、例えば全容量の８０％が使用済みとなっている場合には、設定した期限が経過しているコンテンツ、即ち利用可能日時の属する日から１週間経過しているコンテンツを記録媒体中から消去する機能をも有する。
＜３−２．データ＞
以下、制御部６１４０により生成されて保存先デバイス決定用情報格納部６１４４に格納される保存先デバイス決定用情報について説明する。
【０１２４】
図１９は、保存先デバイス決定用情報の構成及び内容例を示す図である。
同図に示すように保存先デバイス決定用情報７１００は、コンテンツ種別７１０１とデバイス名７１０２とを対応付けた情報の集合であり、ユーザの指定を受けて制御部６１４０が生成するものである。例えば、いわゆるリモコンに「保存先デバイス登録」と描かれたボタンを予め設けておくこととしユーザにそのボタンが押下された場合には、その押下操作を入力受付部１１６０を介して受け付けて制御部６１４０は、コンテンツ種別と１又は複数のデバイス名との組をユーザに指定させて、その指定に基づいて保存先デバイス決定用情報を生成する。
【０１２５】
ここで、コンテンツ種別７１０１は、映像音声か音声か静止画か文字列か等のコンテンツの種別、即ちコンテンツのデータ形式の別を示すものである。
デバイス名７１０２は、コンテンツ種別７１０１で示される種別のコンテンツを保存する際の保存先としてユーザによって指定された１又は複数のデバイスである。なお、複数の場合には、ユーザは各デバイスに一定の順序を付けて指定するものとする。
【０１２６】
同図の内容例は、映像音声に対して、Ｄ−ＶＨＳ（１）、Ｄ−ＶＨＳ（２）、ＡＶ−ＨＤＤという各デバイスがこの順に対応付けられており、音声に対して、ＡＶ−ＨＤＤ、ＨＤＤという各デバイスがこの順に対応付けられていることを示している。
＜３−３．動作＞
以下、実施の形態３に係る受信端末装置６１００において、実施の形態１に係る受信端末装置１１００と異なる点となる、保存指示対応処理と、保存先デバイス登録機能を実現するための保存先デバイス登録処理とについて説明する。
【０１２７】
＜３−３−１．保存先デバイス登録処理＞
受信端末装置６１００は、例えば「保存先デバイス登録」と描かれたリモコンボタンの押下等によりユーザから保存先デバイスの登録を行う意味の操作がなされ、これを入力受付部１１６０により受け付けた場合に、保存先デバイス登録処理を行う。
【０１２８】
図２０は、受信端末装置６１００がユーザによる保存先デバイスの登録を行う意味の操作を受けた場合に行う保存先デバイス登録処理を示すフローチャートである。
まず受信端末装置６１００の制御部６１４０は、通信部１１８０を介して、受信端末装置５１００と１３９４ケーブルで接続されている他の全てのデバイスについてデバイス名及びデバイス情報を収集する（ステップＳ７０１）。具体的には通信部１１８０は、各デバイスのコンフィグレーションＲＯＭにアクセスする等によってデバイス名やデバイス情報を取得する。なお、デバイス情報にはデバイスが取り扱うことができるコンテンツの種別、即ち保存可能なコンテンツの種別が含まれている。
【０１２９】
続いて制御部６１４０は、ステップＳ７０１により得られたコンテンツの全ての種別を示す一覧表を作成して情報表示部１１５０を介してその一覧表を選択肢として表示し（ステップＳ７０２）、入力受付部１１６０を介してユーザによるコンテンツの種別の選択を受け付ける（ステップＳ７０３）。
コンテンツの種別の選択を受け付けた後、制御部６１４０は、ステップＳ７０１により得られたデバイス名とコンテンツ種別との対応関係に基づいて、選択されたコンテンツの種別を保存可能な全てのデバイスを情報表示部１１５０を介して一覧表示し、その種別のコンテンツの保存先となることをユーザが望む全てのデバイスの指定を入力受付部１１６０を介して受け付ける（ステップＳ７０４）。なお、受け付けたデバイスの指定が複数である場合にはその各デバイスの優先順位の指定をも受け付ける。
【０１３０】
デバイスの指定を受け付けると、制御部６１４０は、受け付けた指定に応じて、コンテンツの種別と指定されたデバイスのデバイス名とを対応付けるように、保存先デバイス決定用情報を生成して保存先デバイス決定用情報格納部６１４４に格納する（ステップＳ７０５）。なお、既に保存先デバイス決定用情報が格納されている場合にはステップＳ７０５では保存先デバイス決定用情報を更新する。
【０１３１】
制御部６１４０は入力受付部１１６０を介してユーザから登録終了の指示を受けるまでは、ステップＳ７０３〜Ｓ７０５の処理を繰り返し行い、登録終了の指示を受けると保存先デバイス登録処理を終了する（ステップＳ７０６）。
このような保存先デバイス登録処理が行われた後に、保存先デバイス決定用情報格納部６１４４には、図１９に例示したような内容の保存先デバイス決定用情報が格納されることになる。
【０１３２】
図２１は、保存先デバイス登録処理を行う際に受信端末装置６１００が表示する画面の例である。
画面７２０１は、ステップＳ７０２により表示されるコンテンツの種別の一覧を示す画面の例であり、これに対してユーザは保存先デバイスを登録しておきたいコンテンツの種別を選択することになる。
【０１３３】
画面７２０２は、コンテンツの種別としてユーザに映像音声が選択された後にステップＳ７０４により表示される画面の例であり、映像音声コンテンツの保存先として選択可能なデバイスが一覧表示されている。この例では、受信端末装置６１００にはＤ−ＶＨＳ（１）〜Ｄ−ＶＨＳ（５）、ＡＶ−ＨＤＤ、ＰＣ等が接続されていることを前提としている。
【０１３４】
これに対してユーザは１つデバイスを選択して「→」が描かれているボタンを押下するという手順を繰り返すことにより、優先順に保存先デバイスを指定することができる。
画面７２０３は、画面７２０２が表示された後にユーザがＤ−ＶＨＳ（１）、Ｄ−ＶＨＳ（２）、ＡＶ−ＨＤＤをこの順に指定した状態を示している。これに対して、ユーザは「登録」が描かれているボタンを押下することにより指定を終了することができる。
【０１３５】
＜３−３−２．保存指示対応処理＞
受信端末装置６１００は、ユーザから保存の指示を行う意味の操作がなされ、これを入力受付部１１６０により受け付けた場合に、保存指示対応処理を行う。
図２２は、受信端末装置６１００がユーザによる保存の指示を受けた場合に保存処理の実行を予約するために行う保存指示対応処理を示すフローチャートである。同図に示したステップＳ７１１〜Ｓ７１３、Ｓ７１５、Ｓ７１６及びＳ７２３は、それぞれ図６に示したステップＳ１０１〜Ｓ１０３、Ｓ１０６、Ｓ１０７及びＳ１０８と同一であるため、ステップＳ７１１〜Ｓ７１３、Ｓ７１５、Ｓ７１６及びＳ７２３については詳しい説明を省略する。
【０１３６】
ユーザから保存の指示を受けると受信端末装置６１００の制御部６１４０は、通信部１１８０を介して、受信端末装置６１００と１３９４ケーブルで接続されている他の全てのデバイスについてデバイス名、デバイス情報及び使用中か否かの状態を示す情報を収集し、デバイス管理情報格納部１１４２に格納されたデバイス管理情報を更新する（ステップＳ７１１）。デバイスに関する情報を収集した後、制御部６１４０はコンテンツ管理情報格納部１１４１に格納されているコンテンツ管理情報に基づき、蓄積部１１３０に蓄積されている各コンテンツについてコンテンツ名、日時、種別、ジャンル、量、期限等からなる一覧表を作成して情報表示部１１５０を介して表示し（ステップＳ７１２）、入力受付部１１６０を介してユーザから保存すべきコンテンツの指定を受け付け、また保存が完了した場合に通知が必要である場合にはユーザから保存完了通知要求を受け付ける（ステップＳ７１３）。保存すべきコンテンツの指定等を受け付けた後、制御部６１４０は保存先デバイス決定用情報（図１９参照）に基づいて、そのコンテンツの種別に対応するデバイスで優先順位が最先のデバイスに着目する（ステップＳ７１４）。
【０１３７】
ステップＳ７１４に続いて、制御部６１４０は着目したデバイスの記録媒体の空き容量が保存すべきと指定されたコンテンツの保存に十分かを判断し（ステップＳ７１５）、空き容量が十分でないと判断した場合には制御部６１４０は、保存先デバイス決定用情報を参照して優先順位が次のデバイスが含まれていれば（ステップＳ７１７）、そのデバイスに着目し（ステップＳ７１８）、再びステップＳ７１５の判断を行う。
【０１３８】
また、ステップＳ７１５において空き容量が十分であると判断した場合には、制御部６１４０は、保存すべきと指定されたコンテンツのデータ量や、着目したデバイスが転送されるデータを受信して処理できる速度等の情報から保存に要する時間を算出し、デバイス管理情報の保存予約情報を参照して、そのコンテンツの期限までの間に、保存に要する時間分の連続した空き時間、即ち保存処理の実行が予定されていない時間があるかを調べる（ステップＳ７１６）。ステップＳ７１６において、保存に要する時間分の連続した空き時間がない場合には、制御部６１４０は、保存先デバイス決定用情報を参照して優先順位が次のデバイスが含まれていれば（ステップＳ７１７）、そのデバイスに着目し（ステップＳ７１８）、ステップＳ７１５の判断を行う。
【０１３９】
ステップＳ７１７で次の優先順位のデバイスがないと判断した場合には、制御部６１４０は、情報表示部１１５０を介してエラーメッセージを表示して（ステップＳ７１９）、保存指示対応処理を終了する。
ステップＳ７１６において、保存に要する時間分の連続した空き時間がある場合には、制御部６１４０は、情報表示部１１５０を介して、着目したデバイスのデバイス名を表示することによりユーザに対して保存先となるデバイスを示す（ステップＳ７２０）。
【０１４０】
ユーザに対して保存先となるデバイスを示した後に、制御部６１４０は入力受付部１１６０を介してユーザからデバイスの変更指示を受け付けた場合には（ステップＳ７２１）、ユーザから保存先とすべきデバイスの指定を受け付けて、そのデバイスに着目するとともに、保存すべきと指定されたコンテンツのコンテンツ種別についてはその指定されたデバイスを最優先となるように保存先デバイス決定用情報を更新する（ステップＳ７２２）。なお、ステップＳ７２２では、新たに着目したデバイスについてステップＳ７１５及びＳ７１６と同様の判断を行い、空き容量や予約時間の空きが不十分な場合にはエラーメッセージを表示して保存指示対応処理を終了することとしてもよい。
【０１４１】
ステップＳ７２１においてユーザがデバイスの変更指示をしなかった場合には即ちステップＳ７２０で表示したデバイス名に対してユーザが了解を意味する操作等をした場合には、或いはステップＳ７２２が実行された場合には、制御部６１４０は、着目したデバイスに対する保存を予約して保存指示対応処理を終了する（ステップＳ７２３）。
【０１４２】
図２３は、ユーザがコンテンツの保存を指定する場合に、受信端末装置６１００が表示する画面の例である。なお、同図中、画面３００１及び画面３００２は受信端末装置１１００が表示する画面と同じである。
画面７３０１は、ステップＳ７２０により表示された画面の例である。
これは、図１９に示す映像音声の保存先となるデバイスのうち優先順位が１番目のＤ−ＶＨＳ（１）は空き容量が不足していることを前提とし、「ＳＰＯＲＴＳ２」というスポーツ番組の映像音声コンテンツがユーザにより保存対象として指定された後に表示される画面の例を示したものである。
【０１４３】
この画面７３０１に対してユーザが「保存先変更」が描かれたボタンを押下した場合には、制御部６１４０は、ステップＳ７２２の処理を開始し、ユーザに保存先となるデバイスを任意に指定させるための画面を表示してユーザからデバイスの指定を受け付ける。
ユーザは予め保存先デバイス登録処理を受信端末装置６１００に実行させておきさえすれば、個々のコンテンツの保存を指定する際にその保存先を指定する必要がなくなり、コンテンツの保存の指定を簡易に行うことができるようになる。
【０１４４】
＜３−４．変形例＞
上述した受信端末装置６１００は、コンテンツの種別と対応させてそのコンテンツの保存先となるデバイスを予め登録しておく保存先デバイス登録処理と、ユーザに保存が指定されたコンテンツの種別に応じて、登録されているデバイスを保存先として決定してコンテンツの保存を予約する保存指示対応処理とを実行するものであったが、コンテンツの種別に加えて、コンテンツのジャンルを参照し、ジャンルに応じた保存先デバイスの決定を行うこととしてもよい。以下、このようにジャンルに応じて保存先を決定するように変形した受信端末装置６１００を変形受信端末装置６１００という。
【０１４５】
変形受信端末装置６１００は、基本的に受信端末装置６１００と同様の構成要素からなるが（図１８参照）、保存先デバイス決定用情報格納部６１４４には、保存先決定用情報に加えてジャンル別保存先決定用情報が含まれる。
図２４は、ジャンル別保存先決定用情報の構成及び内容例を示す図である。
同図に示すように、ジャンル別保存先決定用情報７５００は、ジャンル７５０１とデバイス名７５０２とを対応付けた情報の集合であり、ユーザの指定を受けて変形受信端末装置６１００における制御部６１４０が保存先決定用情報とともに生成するものである。
【０１４６】
変形受信端末装置６１００では保存先デバイス登録処理において、図２１の画面７２０１に示すようなコンテンツの種別の選択肢に加えて、映画、スポーツ、ニュース、音楽等のジャンルの選択肢を、ユーザに選択可能となるように一覧表示し、ユーザにジャンルが指定された場合にはそのジャンルに対応する保存先デバイスの優先順位を伴う指定を受け付けて、その受け付けた指定に基づいて図２４に示すようなジャンル別保存先決定用情報を生成する。なお、変形受信端末装置６１００は、ジャンルを一覧表示するために、どのようなジャンルが存在するかというジャンル情報を予め保持している。
【０１４７】
また、変形受信端末装置６１００では保存指示対応処理において、ユーザに保存すべきと指定されたコンテンツのジャンルがジャンル別保存先決定用情報に登録されているジャンルであれば、そのジャンルに対応するデバイスに優先順に着目し（ステップＳ７１４〜Ｓ７１８）、指定されたコンテンツのジャンルがジャンル別保存先決定用情報に登録されていないジャンルであれば、保存先決定用情報に基づいて、指定されたコンテンツの種別に対応するデバイスに優先順に着目する（ステップＳ７１４〜Ｓ７１８）。
【０１４８】
ユーザは予め保存先デバイス登録処理を変形受信端末装置６１００に実行させておきさえすれば、個々のコンテンツの保存を指定する度にその保存先を指定しなくても、ジャンル別に保存先となるデバイスを分けることができるようになる。
＜４．実施の形態４＞
以下、本発明の実施の形態４に係る蓄積型の放送システムにおける受信システムについて説明する。実施の形態４に係る受信システムは実施の形態３に係る受信システムと受信端末が異なるため、ここでは受信端末装置を中心に説明する。
【０１４９】
実施の形態４に係る受信端末装置は、実施の形態３で示した受信端末装置６１００にコンテンツのコピー制限を行うための機能を付加した装置である。
＜４−１．コピー制限情報＞
ここでは、各コンテンツは、映画、音楽等の実体的なデータ部分と、提供日時等の付属的なデータ部分即ちいわゆるヘッダ部分とから構成されているものとし、ヘッダ部分にはコンテンツのコピーを制限するための管理情報であるコピー制限情報が含まれているものとする。
【０１５０】
従来のコンテンツにおけるコピー制限情報には様々なものがあるが、ここではコピー制限情報は、コンテンツの提供元等によって予め指定された、「制限なし」、「１度のみコピー可能」、「移動のみ可能」、「コピー禁止」のうちのいずれかを意味する値をとることとして説明する。
なお、「制限なし」は、コンテンツのコピーや移動に関する制限がないことを意味し、「１度のみコピー可能」は、コンテンツをコピーできるが１度コピーした後はそのコンテンツのコピーはできなくなることを意味し、「移動のみ可能」はコピー元にコンテンツを残したままでのコピーはできないがコピー元のコンテンツを利用不可能状態にするならばコピーができること、即ち移動のみが可能であることを意味し、「コピー禁止」はコピー及び移動ができないことを意味する。
【０１５１】
＜４−２．構成＞
図２５は、実施の形態４に係る受信端末装置８１００の機能ブロック図である。なお、同図中、図１８に示したものと同一機能の部分については同一の符号を付している。
受信端末装置８１００は、放送されたコンテンツを受信して蓄積し、また１３９４ケーブルで接続された他のデバイスを制御する機能を有するものであり、機能的には、受信部１１１０、記録部１１２０、蓄積部１１３０、制御部８１４０、情報表示部１１５０、入力受付部１１６０、読出部１１７０、通信部１１８０及び認証部８１９０を備える。
【０１５２】
受信端末装置８１００が実施の形態３に係る受信端末装置６１００と異なる点は、制御部８１４０と認証部８１９０とである。
ここで、制御部８１４０は、メモリ、プロセッサ等から構成され、メモリに格納された制御用プログラムをプロセッサが実行することによって、受信端末装置８１００内の各部を制御する機能を実現するものであり、保存先デバイス決定用情報格納部６１４４とコンテンツ管理情報格納部８１４１とデバイス管理情報格納部１１４２とを有する。
【０１５３】
コンテンツ管理情報格納部８１４１は、実施の形態１〜３で示したコンテンツ管理情報２０００（図４参照）にコピー制限情報の項目を追加したものであるコンテンツ管理情報を格納するメモリ領域である。
また、制御部８１４０は、基本的に実施の形態３で示した制御部６１４０が有する機能を有するが、コンテンツを保存するための制御を行う機能に関しては上述のコピー制限情報に従ってコンテンツの保存のための制御を行うようになっており、その制御に際して認証部８１９０を制御することにより、受信端末装置８１００と１３９４ケーブルで接続された他のデバイスがコピー制限情報に基づいてコンテンツのコピーの制限を行うコピー制限機能を有する機器であるかどうかを判断する。
【０１５４】
認証部８１９０は、従来の機器間相互認証技術を用いて通信部１１８０を介して、受信端末装置８１００と接続された他のデバイスと通信することにより、他のデバイスがコピー制限機能を有する機器であるか否かを制御部８１４０に伝えるものであり、例えばＣＰＵと認証用プログラムを格納したメモリにより構成される。
【０１５５】
＜４−３．データ＞
以下、コンテンツ管理情報格納部８１４１に格納されるコンテンツ管理情報について説明する。
図２６は、制御部８１４０によりコンテンツ管理情報格納部８１４１に格納されるコンテンツ管理情報８３００のデータ構造及び内容例を示す図である。
【０１５６】
コンテンツ管理情報８３００は、記録部１１２０によって蓄積部１１３０に蓄積された各コンテンツについての情報であり、図４に示したコンテンツ管理情報２０００にコピー制限情報８３１０を加えたものである。なお、図２６では、コンテンツ管理情報２０００に含まれる項目のうち一部を省略して示している。
なお、制御部８１４０はコンテンツのヘッダ部分を参照することによりコピー制限情報８３１０を設定する。また、制御部８１４０は、コンテンツを蓄積部１１３０から消去したときにコンテンツ管理情報８３００中のそのコンテンツについての情報を削除するものとする。
【０１５７】
＜４−４．動作＞
以下、実施の形態４に係る受信端末装置８１００における保存指示対応処理及び保存処理について説明する。
＜４−４−１．保存指示対応処理＞
受信端末装置８１００は、ユーザから保存の指示を行う意味の操作がなされ、これを入力受付部１１６０により受け付けた場合に、保存指示対応処理を行う。
【０１５８】
図２７は、受信端末装置８１００がユーザによる保存の指示を受けた場合に保存処理の実行を予約するために行う保存指示対応処理を示すフローチャートである。
同図に示したステップＳ８０１、Ｓ８０４、Ｓ８０７〜Ｓ８１１、Ｓ８１２及びＳ８１３は、それぞれ図２２に示したステップＳ７１１、Ｓ７１２、Ｓ７１５〜Ｓ７１９、Ｓ７２０及びＳ７２３と基本的に同一であるため、ここでは詳しい説明を省略する。なお、実施の形態３で示したユーザによる変更指示に対応するステップＳ７２１、Ｓ７２２は特に実施の形態４の特徴と関係ないので図２７において省略している。
【０１５９】
ユーザから保存の指示を受けると受信端末装置８１００の制御部８１４０は、通信部１１８０を介して、受信端末装置８１００と１３９４ケーブルで接続されている他の全てのデバイスについてデバイス名、デバイス情報及び使用中か否かの状態を示す情報を収集し、デバイス管理情報格納部１１４２に格納されたデバイス管理情報を更新する（ステップＳ８０１）。デバイスに関する情報を収集した後、制御部８１４０はコンテンツ管理情報格納部８１４１に格納されているコンテンツ管理情報に基づき、蓄積部１１３０に蓄積されている各コンテンツについてコンテンツ名、日時、種別、ジャンル、量、期限、コピー制限情報等からなる一覧表を作成して情報表示部１１５０を介して表示し（ステップＳ８０２）、入力受付部１１６０を介してユーザから保存すべきコンテンツの指定を受け付け、また保存が完了した場合に通知が必要である場合にはユーザから保存完了通知要求を受け付ける（ステップＳ８０３）。
【０１６０】
但し、ステップＳ８０３においては制御部８１４０は、ユーザから保存すべきと指定されたコンテンツについてのコピー制限情報８３１０を参照して、「コピー禁止」であればそのコンテンツの指定を受け付けずに、ユーザにより新たに他のコンテンツの指定がなされるのを待つ。また、ユーザから保存すべきと指定されたコンテンツが既に保存予約済みであってかつそのコンテンツについてのコピー制限情報８３１０が「１度のみコピー可能」及び「移動のみ可能」のいずれかである場合にも制御部８１４０はそのコンテンツの指定を受け付けずに、ユーザにより新たに他のコンテンツの指定がなされるのを待つ。
【０１６１】
ステップＳ８０３に続いて、制御部８１４０は、保存先デバイス決定用情報に基づき、ユーザに指定されたコンテンツの種別に対応する優先順位の最先のデバイスに着目し（ステップＳ８０４）、そのコンテンツについてのコピー情報８３１０が「１度のみコピー可能」及び「移動のみ可能」のいずれかであるか否かを判断する（ステップＳ８０５）。
【０１６２】
ステップＳ８０５において「１度のみコピー可能」又は「移動のみ可能」であると判断された場合には、制御部８１４０は、着目しているデバイスがコピー制限機能を有するか否かを認証部８１９０にそのデバイスと認証のための通信を行わせるよう制御することにより判断する（ステップＳ８０６）。
ステップＳ８０５において否定的な判断がなされた場合及びステップＳ８０６において肯定的な判断がなされた場合に、制御部８１４０は、着目しているデバイスの空き容量が保存すべきと指定されたコンテンツの保存に十分かを判断し（ステップＳ８０７）、空き容量が十分であれば保存すべきと指定されたコンテンツのデータ量や、着目したデバイスが転送されるデータを受信して処理できる速度等の情報から保存に要する時間を算出し、デバイス管理情報の保存予約情報を参照して、そのコンテンツの期限までの間に、保存に要する時間分の連続した空き時間、即ち保存処理の実行が予定されていない時間があるかを調べる（ステップＳ８０８）。
【０１６３】
ステップＳ８０６、Ｓ８０７又はＳ８０８において否定的な判断がなされた場合に、制御部８１４０は保存先デバイス決定用情報を参照して優先順位が次のデバイスが含まれていれば（ステップＳ８０９）、そのデバイスに着目し（ステップＳ８１０）、ステップＳ８０５の判断を行う。また、ステップＳ８０９で次の優先順位のデバイスがないと判断した場合には、制御部８１４０は、情報表示部１１５０を介してエラーメッセージを表示して（ステップＳ８１１）、保存指示対応処理を終了する。
【０１６４】
ステップＳ８０８において、保存に要する時間分の連続した空き時間がある場合には、制御部８１４０は、情報表示部１１５０を介して、着目したデバイスのデバイス名を表示することによりユーザに対して保存先となるデバイスを示し（ステップＳ８１２）、着目したデバイスに対する保存を予約して保存指示対応処理を終了する（ステップＳ８１３）。
【０１６５】
＜４−４−２．保存処理＞
受信端末装置８１００の行う保存処理は、図１１に示した保存処理にコピー制限に関する制御を追加した内容のものである。
即ち、保存対象のコンテンツのコピー制限情報を参照して、それが「１度のみコピー可能」である場合には、コンテンツの転送を行うステップＳ２０５の前に、蓄積部１１３０に蓄積されているコンテンツのヘッダ部分のコピー制限情報を「コピー禁止」となるように更新する処理を追加し、保存処理の終了前においてコンテンツ管理情報中のコピー制限情報を「コピー禁止」となるように更新する処理を追加する。また、保存対象のコンテンツについてのコピー制限情報が「移動のみ可能」である場合には、コンテンツの転送を行うステップＳ２０５の後に、蓄積部１１３０に蓄積されているコンテンツを削除する処理を追加する。
【０１６６】
こうして、コンテンツ管理情報中のコピー制限情報が「コピー禁止」を意味する値となったコンテンツについては、その後、上述したステップＳ８０３の処理によって、ユーザは保存の指示を行うことができなくなる。
なお、コンテンツの転送を行うステップＳ２０５の前に、認証部８１９０を制御して保存先のデバイスがコピー制限機能を有するものである場合にのみコンテンツの転送を行うようにしてもよい。また、コンテンツが「１度のみコピー可能」である場合においてもヘッダ部分のコピー制限情報を「コピー禁止」にせずに保存先のデバイスに転送して、保存先のデバイス側でコンテンツの記録時においてヘッダ部分のコピー制限情報を「コピー禁止」にすることとしてもよい。
＜５．補足＞
以上、本発明に係る受信端末装置について、実施の形態１〜４を用いて説明したが、本発明はこのような実施の形態に限られないことは勿論である。即ち、
（１）上述の実施の形態では、蓄積型の放送システムにおいて、放送されるコンテンツを受信して保持しておく受信端末装置について説明したが、本発明は、受信したコンテンツを一時的に記録媒体に記録しておきユーザの視聴要求に応じてその記録しているコンテンツを利用可能にする機能を有する受信端末装置であれば、特に放送装置が利用可能日時より前にコンテンツを放送する蓄積型の放送システムのみならず、例えば一般的なテレビ放送やラジオ放送の放送システムにおける受信端末装置にも適用できる。
【０１６７】
なお、受信端末装置が受信する放送は、地上波の放送であっても、衛星放送であっても、或いは電話回線や放送用のケーブルを介してなされるものであってもよい。
（２）上述の実施の形態における受信端末装置は、保存指示対応処理においてコンテンツ管理情報に基づいてコンテンツの一覧表示を行うものであるが、受信端末装置には、保存指示とは独立してユーザがコンテンツの一覧表示を要求した場合にコンテンツ管理情報の項目２００１〜２００９を一覧表示する機能や保存済みのコンテンツについてのみコンテンツ管理情報の項目２００１〜２００７を一覧表示する機能等を設けてもよい。例えば、実施の形態３で示した受信端末装置６１００にその一覧表示機能を設けると、例えばユーザはコンテンツが保存されたデバイスをいつでも確認することができるようになる。
（３）上述の実施の形態では、受信端末装置に１３９４ケーブルで接続されている各デバイスは、取り扱い対象のコンテンツ種別つまり保存可能なコンテンツの種別を示す情報を含むデバイス情報をコンフィグレーションＲＯＭに保持していることとした。この他、各デバイスのコンフィグレーションＲＯＭにはデバイスの種別を示す情報は含まれているが、取り扱い対象のコンテンツ種別を示す情報が含まれていないこととし、受信端末装置がデバイスの種別と、その種別のデバイスが取り扱えるコンテンツの種別との対応を示すデバイス情報テーブルを保持しておいて、受信端末装置は各デバイスからバスリセット時等にデバイスの種別を得てそのデバイス情報テーブルと照らし合わせることにより、各デバイスが取り扱えるコンテンツの種別を判断することとしてもよい。なお、図２８は、このように変形された受信端末装置が保持するデバイス情報テーブルの構成及び内容例を示す図である。
（４）上述の実施の形態では、受信端末装置が受信して蓄積部に蓄積したコンテンツの一覧を表示し、その中からユーザに保存対象のコンテンツの指定を行わせることとしたが、受信端末装置はＥＰＧ等を用いて現在受信済みではないが放送される予定であるコンテンツの一覧を表示してその中からユーザに保存対象のコンテンツの指定を行わせることとしてもよい。この場合は、受信端末装置は、その指定されたコンテンツの利用可能日時以後に他のデバイスへの転送が行われるように保存の予約を行うこととすればよい。
【０１６８】
また、未だ放送されていないコンテンツについての保存予約を受信端末装置がユーザから受け付けることができるようにした場合において、受信端末装置は、予約されているコンテンツが受信されることにより蓄積され始めた時から、或いは蓄積が完了した時から、そのコンテンツを保存し始める、即ち他のデバイスに転送し始めることとしてもよい。このためには、例えば、以下に示すように実施の形態２で示した受信端末装置５１００を変形すればよい。
【０１６９】
即ち、受信端末装置５１００の保存コンテンツリストの要素（図１５参照）に、保存を開始することが可能か否かを示す保存開始可否フラグを追加しておき、受信端末装置５１００は、ユーザに未放送のコンテンツの保存が指定された時には、そのコンテンツについての要素を、保存開始可否フラグを保存を開始することが不可能を示すようにして、保存コンテンツリストに登録する。また、受信端末装置５１００は、対応する保存開始可否フラグが保存を開始することが可能であることを示すコンテンツについてのみ保存処理を行うこととし、受信端末装置はコンテンツが受信され蓄積され始めた時、或いは蓄積が完了した時に、そのコンテンツについての要素の保存開始可否フラグを保存開始可能を示す値に変更することとする。
（５）上述の実施の形態で示した情報表示部１１５０は受信端末装置に設けられた液晶ディスプレイ等に情報を表示することとしたが、受信端末装置に接続されたテレビモニタ等の表示用デバイスに情報を表示することとしてもよい。
（６）上述の実施の形態では、受信端末装置は保存指示対応処理内で各デバイスの情報を収集することとしたが、各デバイスの情報の収集は、１３９４ケーブル上に新たにデバイスが接続されたり、またデバイスが１３９４ケーブルから外されたりした場合に発生するバスリセットを契機として行うこととしてもよい。
（７）上述の実施の形態では各コンテンツに対して消去される基準となる期限を利用可能日時の属する日から１週間先の日と一律に設定することとしたが、例えばコンテンツが新聞なら１日先の日、映像音声なら２週間先の日等とコンテンツのジャンルや種別毎に期限を設定してもよく、ユーザの指示に応じて期限を定めることにしてもよく、コンテンツ毎に異なる方式で設定することとしてもよい。
【０１７０】
また、期限を明確に定めることなく、例えば受信端末装置は受信して蓄積部の記録媒体に蓄積したコンテンツを、その記録媒体の空き容量が全容量の２０％以下になった場合に空き容量を全容量の２０％確保すべく、利用可能日時が古いものから消去することとしてもよい。このようにした場合でも各コンテンツは所定期間経過後、即ちいずれ、消去されることになる。このようにした場合には受信端末装置は、期限に関する判断を省略して各実施の形態に示した動作を行うようにすればよい。
【０１７１】
つまり受信端末装置は、蓄積部に一旦蓄積したコンテンツのうちユーザに指定されたものを、保存先とユーザに指定されたデバイスをユーザが使用していない時間に、その保存先デバイスに転送することとすればよい。また、利用可能日時が古いものから消去するとした場合には、実施の形態２に示した保存コンテンツリストに各コンテンツを登録する場合に期限順ではなく利用可能日時順に登録するようにするのが望ましい。
【０１７２】
また、受信端末装置は、蓄積部からコンテンツを消去するときに、コンテンツ管理情報を参照することにより、ユーザにより保存の指示がなされたコンテンツが保存済みとなったか否かを調べて、保存済みになっていなかった場合にはエラーメッセージを表示し蓄積部への新たなコンテンツの蓄積を停止することとしてもよい。
（８）上述の実施の形態では、１つのコンテンツの保存先は１つのデバイスとしたが、ユーザが保存先のデバイスを複数指定することを可能にし、保存先の各デバイスに対して独立的に保存処理の予約や、保存コンテンツリストへの登録を行うこととしてもよい。
（９）実施の形態１、２では、受信端末装置はユーザに指定されたコンテンツの種類に応じてその保存先となり得るデバイスを一覧表示してユーザに選択させることとしたが、受信端末装置が保存対象のコンテンツと保存先のデバイスとの指定をユーザから受け付けるためのユーザインタフェースはどのようなものであってもよい。なお、ユーザに指定された保存対象のコンテンツの保存先となり得るデバイスが１つしか受信端末装置に接続されていない場合には、ユーザからデバイスの指定を受け付けることなく、その１つのデバイスを保存先として扱うこととしてもよい。なお、ユーザによりコンテンツの種別の指定を受け付けることにより、その種別の全コンテンツの指定がなされたものと扱う等、受信端末装置は、ユーザから間接的な指定を受け付けて保存対象となるコンテンツを特定することにより、ユーザからコンテンツの指定を受け付けたものとして動作するものであってもよい。
（１０）上述の実施の形態では、保存先のデバイスをユーザが使用中かどうかを判断することとしたが、例えばユーザが設定した録画予約に基づいてＤ−ＶＨＳが録画動作をしていたような場合も、ユーザが使用中であるのと同様に扱うこととしてもよい。つまり、受信端末装置は、デバイスに関する情報を収集して、保存先のデバイスがコンテンツの保存ができる状態にあるか否か、即ちコンテンツの転送を受け付けることができる状態にあるか否かを判断し、デバイスがコンテンツの転送を受け付けることができる状態にある場合にのみコンテンツの転送を行うこととすればよい。
【０１７３】
また、受信端末装置によるデバイスに関する情報の収集に対応して、デバイス側が録画予約されている時刻の情報を伝えることとし、受信端末装置はこの録画予約されている時間を除く時刻に、ユーザに指定されたコンテンツの保存処理の実行を行うようにデバイス管理情報中の保存予約情報を設定すること、即ち保存予約をすることとしてもよい。
【０１７４】
また、ユーザが使用中である場合にステップＳ２０６で１時間以上後の時刻に保存処理を行うように再予約することとし、ステップＳ６０３では１０分間待機することとしたが、これらの時間は単なる例示であり、どのように定めてもよい。
（１１）実施の形態１におけるステップＳ１０７や実施の形態２におけるステップＳ５０７においてコンテンツの保存に要する時間の算出を行うこととしたが、この算出は、利用可能な帯域にも基づいて行うものとしてもよい。
【０１７５】
例えば１３９４ケーブルで接続されたデバイス間では最大４００Ｍｂｐｓのデータ転送が可能であり、ＩＥＥＥ１３９４では帯域を管理するアイソクロナス・リソースマネージャがいずれか１つのデバイス上で動作することとなっているので、受信端末装置の制御部は、デバイスに関連する情報を取得するときに併せてアイソクロナス・リソースマネージャに１３９４ケーブルに関する現在の帯域の空き状況を問い合わせて、利用可能な帯域を得てこれをも参照して、コンテンツの保存に要する時間の算出を行うことや、コンテンツの転送に用いる帯域を決定することとしてもよい。これにより、例えばコンテンツの保存先となるデバイスの能力として４倍速や８倍速といった多種類の速度での転送を受けることができる能力がある場合には、受信端末装置は、その能力を示す情報を含むデバイスに関する情報を収集することにより、帯域の空きが広い場合には高速で転送し、帯域の空きが狭い場合には低速で転送する等、帯域の空き状況に合わせて何倍速で伝送するか等の転送速度を決定すること、即ち転送に用いる帯域を決定することが可能になる。
【０１７６】
また、実施の形態１で示したデバイス管理情報中の保存予約情報に保存すべきコンテンツについての保存処理の実行の開始と終了の時間を記録して予約を行うことに加えて転送に用いる帯域を記録して帯域も予約することとしてもよい。この場合、受信端末装置は新たに予約を行う場合にはデバイスの空き時間でありかつ転送用に十分な帯域が空いている時間を予約するようにする必要がある。
【０１７７】
なお、受信端末装置は転送に用いる帯域を決定するとアイソクロナス・リソースマネージャに対してＩＥＥＥ１３９４で規定されているアシンクロナス・ロック・トランザクションを用いて通知することにより転送用の帯域等のネットワーク資源の使用権を獲得することができる。
（１２）実施の形態１で示したようにコンテンツを分割して複数の保存処理により保存を行う場合において、分割するコンテンツがそのデータ編成上、分割可能な単位が定まっているものである場合、その単位で分割することとしてもよい。
（１３）実施の形態１で示したステップＳ２０２の処理を、保存処理の開始予定時刻の５分前等に行い、デバイス管理情報を参照してユーザがコンテンツの保存先のデバイスを使用中であると判定した場合に、コンテンツの保存のための転送が行われる時間が迫っている旨をユーザに通知することとしてもよい。
（１４）受信端末装置に接続されるデバイスは上述の実施の形態で示したＤ−ＶＨＳやＭＤ等に限定されることはなく、また、接続方法もＩＥＥＥ１３９４によるものに限定されることはなく、受信端末装置から保存すべきコンテンツと保存すべき命令とを受け取れるデバイスであって、保存すべき命令を受けると送られたコンテンツを何らかの媒体に書き込むものであればよく、ユーザインタフェースを備えないものであってもよい。例えば、コンテンツが新聞等の静止画である場合には、コンテンツの保存先となるデバイスは、コンテンツを受け取ると紙に印刷するようなプリンタ等であってもよい。
【０１７８】
また、受信端末装置が受信したコンテンツを逐次蓄積する記録媒体は、受信端末装置に物理的に内蔵されている必要はなく、いわゆる外付けのハードディスク等であってもよい。さらに、受信端末装置におけるユーザインタフェース部分は受信端末装置に接続された他のデバイスに置き、通信部を介して受信端末装置の制御部と情報を送受信するようにしてもよい。例えば、受信端末装置は情報表示部を介してメッセージ等の表示を行う代わりに通信部を介して受信端末装置に接続されたＴＶにメッセージ等を送って表示させることとしてもよい。
【０１７９】
また、保存指示対応処理及び保存処理の実行機能を有し、その処理に必要なデバイス管理情報等のデータの記憶領域等を有する制御部相当の機構を、他のデバイスに置くこととしてもよく、この場合には受信端末装置は、その制御部相当の機構が置かれた他のデバイスから指示を受けてコンテンツの転送のための送出を行うことになる。
（１５）実施の形態２では保存コンテンツリストにコンテンツに対応する要素を接続する順序は期限が早い順としたが、この順に限られることはなく、コンテンツを受信した順としてもよく、ユーザにコンテンツの保存が指定された順としてもよく、またコンテンツの種別毎に優先度を定めておき制御部がこの優先度に従って順位を定めることとしてもよい。但し、各コンテンツを期限内に保存するためには期限が早い順とすることが適している。
（１６）実施の形態２で、保存コンテンツリストの要素は、コンテンツ名、データ量及び期限から構成されるとしたが、必ずしもデータ量や期限等が含まれなくてもよく、最低限コンテンツを特定することができる情報を含めることとすればよい。
（１７）実施の形態３においては説明の便宜上、コンテンツを分割して予約する方式については示していないが、実施の形態３における受信端末装置等も、実施の形態１と同様の方法を用いてコンテンツを分割して予約することができるものとしてもよい。この場合には保存すべきコンテンツのコンテンツ種別を取り扱うことができ空き容量がコンテンツの保存に十分であるデバイスのうち保存先デバイス決定用情報に基づいて最も優先順位の高いデバイス対して保存予約を行うこととすればよい。
【０１８０】
また、実施の形態３では、実施の形態１で示した受信端末装置１１００に、コンテンツの種別毎に保存先となるデバイスを予めユーザが登録しておける機能を付加した受信端末装置６１００を示したが、その機能を実施の形態２で示した受信端末装置５１００に付加することとしてもよい。
なお、保存先デバイス決定用情報は、コンテンツ種別毎に複数のデバイスではなく、１つのデバイスを対応付けたものとしてもよい。この場合には、実施の形態１又は２で示した受信端末装置において、ユーザにデバイスを選択させるかわりに、保存先デバイス決定用情報に基づいて保存すべきコンテンツのコンテンツ種別に対応付けられた１つのデバイスを保存先デバイスとして扱うこととするだけでよい。
（１８）実施の形態３では、ユーザがコンテンツの保存を指定した際に受信端末装置６１００が自動的に決定した保存先デバイスを変更するためにユーザがデバイスを指定した場合には、保存すべきと指定されたコンテンツのコンテンツ種別についてはその指定されたデバイスを最優先となるように保存先デバイス決定用情報を更新することとしたが（ステップＳ７２２）、ステップＳ７２２においては保存先デバイス決定用情報の更新を行わないこととしてもよい。
（１９）実施の形態４で示した受信端末装置８１００は、例えばヘッダ部分に有料である旨を示す情報を含むコンテンツ等、特定のコンテンツのコピーを行うに際していわゆる課金制御を行うこととしてもよい。即ち、ユーザの指示に従ってコンテンツを保存する際に、受信端末装置８１００がコピー回数や予めユーザに入力されているユーザ識別情報その他の課金に関する情報を電話回線等を通じてコンテンツの利用料金の管理機関等におけるコンピュータに送信することとしてもよい。
（２０）上述の実施の形態で示した受信システムにおける受信端末装置の処理手順（図６、図９、図１１、図１６、図１７、図２０、図２２、図２７に示した手順等）を、放送を受信し記録媒体に蓄積する機能を有する受信端末装置に実行させるための制御プログラム（コンピュータプログラム）を、記録媒体に記録し又は各種通信路等を介して、流通させ頒布することもできる。このような記録媒体には、ＩＣカード、光ディスク、フレキシブルディスク、ＲＯＭ等がある。流通、頒布されたコンピュータプログラムは、放送を受信し記録媒体に蓄積する機能を有しプログラム実行機能を有する受信端末装置にインストール等されることにより利用に供され、その受信端末装置は当該コンピュータプログラムを実行して、上述の実施の形態で示したような動作を実行することができるようになる。
【０１８１】
【発明の効果】
以上の説明から明らかなように、本発明に係る受信端末装置は、逐次放送されるコンテンツを逐次受信して記録媒体に蓄積し、蓄積した各コンテンツをユーザの利用に供する受信端末装置であって、放送される複数のコンテンツを逐次受信し第１記録媒体に蓄積する受信蓄積手段と、第１記録媒体に蓄積された複数のコンテンツそれぞれを消去する消去手段と、ユーザによるコンテンツの指定を受け付ける指定受付手段と、前記指定受付手段により受け付けられたユーザの指定に係るコンテンツを前記消去より前に前記第１記録媒体から第２記録媒体に転送可能か否かを判断し、転送可能であれば当該コンテンツの転送を予定する転送予定手段と、前記転送予定手段により転送が予定されたコンテンツを前記消去より前に第１記録媒体から第２記録媒体に転送する転送手段とを備えることを特徴とする。
【０１８２】
ここでいう消去とは、記録媒体中から完全な状態でのコンテンツの存在を消滅させることであり、コンテンツの一部を消すことや、新たにコンテンツを上書きすることによって結果的に消滅させることも含む。
これにより、受信端末装置が逐次受信したコンテンツを蓄積する第１記録媒体の容量が有限であるために、蓄積された複数のコンテンツはいずれ消去されるが、ユーザが保存したいコンテンツを指定するだけでそのコンテンツは消去される前に他の記録媒体に転送できるか否かチェックされ、できる場合には転送がスケジューリングされ、後に転送されるため、第１記録媒体におけるコンテンツが消去された後においても、ユーザはその転送されたコンテンツをいつでも使用することができるようになる。
【０１８３】
また、前記第２記録媒体は、前記受信端末装置と接続されておりユーザに使用され得る外部デバイスに備えられたものであり、前記受信端末装置は、前記第１記録媒体と、前記外部デバイスから、当該外部デバイスが少なくともユーザに使用されておらずコンテンツを記録可能な状態にあるか否かを示すデバイス状態情報を取得するデバイス情報取得手段とを備え、前記転送手段は前記デバイス状態情報に基づき前記外部デバイスがコンテンツを記録可能な状態にあるときに、前記転送予定手段により転送が予定されたコンテンツを前記第１記録媒体から当該外部デバイスを介して前記第２記録媒体へ転送することとしてもよい。
【０１８４】
これにより、受信端末装置に例えば１３９４ケーブル等で接続されたＤ−ＶＨＳ等のデバイスをユーザが使用していないときに、受信端末装置からそのデバイスにコンテンツが転送され、即ち、そのデバイスの空き時間が有効利用されて転送が行われ、ユーザは指定したコンテンツをいつでも使用することができるようになる。
【０１８５】
また、前記受信端末装置はさらに、前記外部デバイスからコンテンツの転送を中断すべき旨の指示を受ける中断受付手段を備え、前記転送手段は、前記中断受付手段が中断すべき旨の指示を受け付けた場合には、転送を中断し再度外部デバイスがコンテンツを記録可能な状態になったときに転送を再開することとしてもよい。
【０１８６】
これにより、コンテンツの保存先のデバイスを保存中にユーザが使用しても後にコンテンツの保存が行われるので、ユーザは再度保存を指示する作業負担を負うことなくコンテンツの保存が行える。
また、前記転送予定手段は、前記ユーザの指定に係るコンテンツを前記外部デバイスを介して第２記録媒体に転送する予定の時刻を定めることにより前記転送の予約を行い、時刻を定めるにあたり、過去に前記指定受付手段により受け付けられた指定に係るコンテンツについて定めた時刻と重複しないように時刻を定め、前記転送手段は、前記転送予定手段により定められた時刻が到来した時に前記転送を行うこととしてもよい。
【０１８７】
これにより、ユーザによりコンテンツの保存の指示が複数なされた場合にも、コンテンツの転送時刻を衝突させることがなくなる。
また、前記転送予定手段が定める時刻は転送の開始時刻及び終了時刻であり、前記転送予定手段は、時刻を定めるにあたり、転送するコンテンツのデータ量に基づいて当該コンテンツの転送が行えるように時刻を定め、過去に前記指定受付手段により受け付けられた指定に係るコンテンツについて定めた時刻と重複しないように時刻を定めることができない場合には、コンテンツを複数の部分に分割して各部分について転送の開始時刻及び終了時刻を定め、前記転送手段は、前記コンテンツが分割されている場合には各部分を該当する開始時刻が到来してから終了時刻に至るまでに転送することとしてもよい。
【０１８８】
これにより、デバイスに対するコンテンツの保存スケジュール上、コンテンツを保存するのに十分な連続したデバイスの空き時間がない場合であっても、コンテンツを保存することができるようになる。
また、前記転送手段は、前記転送予定手段により前記ユーザの指定に係るコンテンツを転送するために定められた時刻が到来した時に、前記外部デバイスがコンテンツを記録可能な状態になければ、再度前記転送予定手段に当該コンテンツを転送する予定の時刻を定めさせることとしてもよい。
【０１８９】
これにより、デバイスがユーザにより使用されていた等によって、一度予約したスケジュール通りにデバイスにコンテンツを転送できない場合にも、後に転送が実行されるので、ユーザは再度保存を指示する作業負担を負うことなくコンテンツの保存が行える。
また、前記受信端末装置は、前記第１記録媒体に蓄積された複数のコンテンツそれぞれに対して消去の基準となる日時である期限を定める期限決定手段を備え、前記消去手段は第１記録媒体に蓄積された前記複数のコンテンツをそれぞれ該当する前記期限が経過した後に消去し、前記転送予定手段は、前記第１記録媒体に蓄積された前記複数のコンテンツのうち前記指定受付手段により受け付けられた指定に係るコンテンツが複数である場合には、前記期限決定手段により定められた期限が早いコンテンツから順に前記転送が行われるように転送を予定し、前記転送手段は、前記転送予定手段に予定された順にコンテンツの転送を行うこととしてもよい。
【０１９０】
これにより、保存が指定されたコンテンツが多い場合であっても、それぞれを消去期限より前に保存できる可能性が高まる。
また、前記受信端末装置は複数の外部デバイスに接続されており、前記指定受付手段はさらに、ユーザによる外部デバイスの指定を受け付け、前記デバイス情報取得手段は、前記指定受付手段により受け付けられたユーザの指定に係る外部デバイスから、前記デバイス状態情報を取得し、前記転送手段は前記デバイス状態情報に基づき前記ユーザの指定に係る外部デバイスがコンテンツを記録可能な状態にあるときに、前記転送予定手段により転送が予定されたコンテンツを第１記録媒体から当該外部デバイスを介して第２記録媒体へ転送することとしてもよい。
【０１９１】
これにより、ユーザは任意のデバイスにコンテンツを保存することが可能になる。
また、前記受信端末装置は複数の外部デバイスに接続されており、前記受信端末装置はさらに、コンテンツについての複数のデータ形式それぞれと、当該データ形式のコンテンツを取り扱うことができる外部デバイスとを対応付けたデバイス決定用情報を記憶するデバイス決定用情報記憶手段と、前記デバイス決定用情報に基づいて、前記指定受付手段により受け付けられたユーザの指定に係るコンテンツのデータ形式に対応する外部デバイスを保存先デバイスとして決定する保存先デバイス決定手段とを備え、前記デバイス情報取得手段は、前記保存先デバイスとして決定された外部デバイスから、前記デバイス状態情報を取得し、前記転送手段は前記デバイス状態情報に基づき前記保存先デバイスとして決定された外部デバイスがコンテンツを記録可能な状態にあるときに、前記転送予定手段により転送が予定されたコンテンツを第１記録媒体から当該外部デバイスを介して第２記録媒体へ転送することとしてもよい。
【０１９２】
これにより、ユーザが保存したいコンテンツ、即ち他の記録媒体への転送を望むコンテンツの指定に際して、保存先のデバイスを指定しなくても、その指定されたコンテンツはそのデータ形式に応じていずれかのデバイスに保存されるようになる。
また、前記デバイス決定用情報は、各データ形式に、当該データ形式のコンテンツを取り扱うことができる複数の外部デバイスを優先度を付して対応付けた情報であり、前記保存先デバイス決定手段は、前記デバイス決定用情報に基づいて、前記指定受付手段により受け付けられたユーザの指定に係るコンテンツのデータ形式に対応する外部デバイスのうち優先度の高いものから順に、当該外部デバイスに備えられた第２記録媒体の空き容量が当該コンテンツの保存に十分であるかを検査して、空き容量が十分である外部デバイスのうち優先度の高いものを保存先デバイスとして決定することとしてもよい。
【０１９３】
これにより、ユーザがコンテンツの指定に際して保存先のデバイスを指定しなくても、その指定されたコンテンツは空き容量が十分なデバイスに自動的に保存されるようになる。
また、前記受信端末装置は複数の外部デバイスに接続されており、前記受信端末装置はさらに、コンテンツの内容種別を表す複数のジャンルそれぞれと外部デバイスとを対応付けたデバイス決定用情報を記憶するデバイス決定用情報記憶手段と、前記デバイス決定用情報に基づいて、前記指定受付手段により受け付けられたユーザの指定に係るコンテンツのジャンルに対応する外部デバイスを保存先デバイスとして決定する保存先デバイス決定手段とを備え、前記デバイス情報取得手段は、前記保存先デバイスとして決定された外部デバイスから、前記デバイス状態情報を取得し、前記転送手段は前記デバイス状態情報に基づき前記保存先デバイスとして決定された外部デバイスがコンテンツを記録可能な状態にあるときに、前記ユーザの指定に係るコンテンツを第１記録媒体から当該外部デバイスを介して第２記録媒体へ転送することとしてもよい。
【０１９４】
これにより、ユーザがコンテンツの指定に際して保存先のデバイスを指定しなくても、その指定されたコンテンツはその内容種別に応じていずれかのデバイスに保存されるようになる。
また、前記転送手段は、前記ユーザの指定に係るコンテンツの転送先となる外部デバイスの能力を示す情報に基づいて転送に用いる帯域を決定し、当該帯域を用いて前記ユーザの指定に係るコンテンツの転送を行うこととしてもよい。
【０１９５】
これにより、保存先のデバイスの能力に応じた転送速度でコンテンツの転送を行うことができ、デバイスの能力が高ければ短期間で転送を行うことができるようになる。
また、前記受信端末装置はさらに、前記転送手段によるコンテンツの転送が完了した場合に完了の旨をユーザに通知する通知手段を備えることとしてもよい。
【０１９６】
これにより、ユーザはコンテンツの保存が完了したことを知ることができるようになる。
また、前記転送予定手段は、前記指定受付手段によりコンテンツの指定が受け付けられた時に当該コンテンツが前記受信蓄積手段により受信されていない場合には、前記受信蓄積手段により前記指定に係るコンテンツが受信されて第１記録媒体に蓄積され次第、当該コンテンツを第１記録媒体から第２記録媒体に転送し始めるよう予定し、前記転送手段は、前記転送予定手段による予定に従ってコンテンツの転送を行うこととしてもよい。
【０１９７】
これにより、ユーザはコンテンツが放送される前に保存予約をしておけば、コンテンツが放送された後には、保存先となったデバイスに記録されたコンテンツを利用することができるようになる。
また、前記指定受付手段は、コピー禁止を示す情報を含んでいるコンテンツについてはユーザが指定できないようにし、コピー禁止を示す情報を含んでいないコンテンツのユーザによる指定を受け付けることとしてもよい。
【０１９８】
これにより、コピーが禁止されているコンテンツについては蓄積された記録媒体から他の記録媒体への転送がなされない。
また、前記受信端末装置は、前記第１記録媒体を備え、前記第２記録媒体は、前記受信端末装置と接続されておりユーザに使用され得る外部デバイスに備えられたものであり、前記転送予定手段は、前記指定受付手段により受け付られたユーザの指定に係るコンテンツがコピー制限を示す情報を含んでいる場合には、前記外部デバイスがコピー制限に関する機能を有するか否かを判定し、当該外部デバイスがコピー制限に関する機能を有するときにのみ前記コンテンツを第１記録媒体から当該外部デバイスを介して第２記録媒体へ転送するよう予定することとしてもよい。
【０１９９】
これにより、例えば１度のみコピー可能というようにコピーが制限されているコンテンツについてのコピー制限を徹底することが可能になる。
また、本発明に係るコンテンツ保存方法は、逐次放送されるコンテンツを逐次受信して第１記録媒体に蓄積し、蓄積した各コンテンツをユーザの利用に供する受信端末装置において用いられるコンテンツ保存方法であって、第１記録媒体に蓄積された複数のコンテンツそれぞれを消去する消去ステップと、ユーザによるコンテンツの指定を受け付ける指定受付ステップと、前記指定受付ステップにより受け付けられたユーザの指定に係るコンテンツを前記消去より前に前記第１記録媒体から第２記録媒体に転送可能か否かを判断し、転送可能であれば当該コンテンツの転送を予定する転送予定ステップと、前記転送予定ステップにより転送が予定されたコンテンツを前記消去より前に第１記録媒体から第２記録媒体に転送する転送ステップとを含むことを特徴とする。
【０２００】
これにより、受信端末装置が逐次受信したコンテンツを蓄積する第１記録媒体の容量が有限であるために、蓄積された複数のコンテンツはいずれ消去されるが、ユーザが保存したいコンテンツを指定するだけでそのコンテンツは消去される前に他の記録媒体に転送されるため、ユーザは指定したコンテンツをいつでも使用することができるようになる。
【０２０１】
また、本発明に係る制御プログラムは、ＣＰＵを備え、逐次放送されるコンテンツを逐次受信して第１記録媒体に蓄積し、蓄積した各コンテンツをユーザの利用に供する受信端末装置に、コンテンツ保存処理を行わせるための制御プログラムであって、前記コンテンツ保存処理は、第１記録媒体に蓄積された複数のコンテンツそれぞれを消去する消去ステップと、ユーザによるコンテンツの指定を受け付ける指定受付ステップと、前記指定受付ステップにより受け付けられたユーザの指定に係るコンテンツを前記消去より前に前記第１記録媒体から第２記録媒体に転送可能か否かを判断し、転送可能であれば当該コンテンツの転送を予定する転送予定ステップと、前記転送予定ステップにより転送が予定されたコンテンツを前記消去ステップにより消去される前に第１記録媒体から第２記録媒体に転送する転送ステップとを含むことを特徴とする。
【０２０２】
この制御プログラムにより、ユーザは、受信端末装置が受信したコンテンツのうち指定したコンテンツをいつでも使用することができるようになる。
【図面の簡単な説明】
【図１】実施の形態１に係る受信システム１０００の構成例を示す図である。
【図２】実施の形態１に係る受信端末装置１１００の機能ブロック図である。
【図３】受信端末装置１１００に接続されたＤ−ＶＨＳ、ＭＤ、ＴＶ、ＰＣ等の代表例を表すデバイス１２００の機能ブロック図である。
【図４】制御部１１４０によりコンテンツ管理情報格納部１１４１に格納されるコンテンツ管理情報２０００のデータ構造及び内容例を示す図である。
【図５】制御部１１４０によりデバイス管理情報格納部１１４２に格納されるデバイス管理情報２１００のデータ構造及び内容例を示す図である。
【図６】受信端末装置１１００がユーザによる保存の指示を受けた場合に保存処理の実行を予約するために行う保存指示対応処理を示すフローチャートである。
【図７】コンテンツの保存に関する各種指定をユーザに行わせるために受信端末装置１１００が表示する画面の例である。
【図８】各デバイスに対して保存予約情報によって定められるところの保存処理を実行する予定の一例を予定表形式で示した図である。
【図９】受信端末装置１１００がユーザによる保存予約の取り消しの指示を受けた場合に行う保存予約取消指示対応処理を示すフローチャートである。
【図１０】保存予約取消指示対応処理のステップＳ１２１により受信端末装置１１００が液晶ディスプレイ等に表示する画面の例である。
【図１１】受信端末装置１１００が行う保存処理を示すフローチャートである。
【図１２】保存処理に対応してデバイス１２００が実行する保存コマンド処理を示すフローチャートである。
【図１３】実施の形態２に係る受信端末装置５１００の機能ブロック図である。
【図１４】デバイス別保存コンテンツリストの内容例を示す図である。
【図１５】デバイス別保存コンテンツリストの１要素のデータ構造を示す図である。
【図１６】受信端末装置５１００がユーザによる保存の指示を受けた場合に保存処理の実行を予約するために行う保存指示対応処理を示すフローチャートである。
【図１７】受信端末装置５１００が行う保存処理を示すフローチャートである。
【図１８】実施の形態３に係る受信端末装置６１００の機能ブロック図である。
【図１９】保存先デバイス決定用情報の構成及び内容例を示す図である。
【図２０】受信端末装置６１００がユーザによる保存先デバイスの登録を行う意味の操作を受けた場合に行う保存先デバイス登録処理を示すフローチャートである。
【図２１】保存先デバイス登録処理を行う際に受信端末装置６１００が表示する画面の例である。
【図２２】受信端末装置６１００がユーザによる保存の指示を受けた場合に保存処理の実行を予約するために行う保存指示対応処理を示すフローチャートである。
【図２３】ユーザがコンテンツの保存を指定する場合に、受信端末装置６１００が表示する画面の例である。
【図２４】ジャンル別保存先決定用情報の構成及び内容例を示す図である。
【図２５】実施の形態４に係る受信端末装置８１００の機能ブロック図である。
【図２６】制御部８１４０によりコンテンツ管理情報格納部８１４１に格納されるコンテンツ管理情報８３００のデータ構造及び内容例を示す図である。
【図２７】受信端末装置８１００がユーザによる保存の指示を受けた場合に保存処理の実行を予約するために行う保存指示対応処理を示すフローチャートである。
【図２８】変形された受信端末装置が保持するデバイス情報テーブルの構成及び内容例を示す図である。
【符号の説明】
１０００    受信システム
１１００、５１００、６１００、８１００    受信端末装置
１１１０    受信部
１１２０    記録部
１１３０    蓄積部
１１４０、５１４０、６１４０、８１４０    制御部
１１４１、８１４１    コンテンツ管理情報格納部
１１４２、５１４２    デバイス管理情報格納部
１１５０    情報表示部
１１６０    入力受付部
１１７０    読出部
１１８０    通信部
１２００    他のデバイス（Ｄ−ＶＨＳ等）
１２１０    入力受付部
１２２０    表示部
１２３０    コマンド処理部
１２３１    デバイス固有情報記憶部
１２４０    蓄積部
１２５０    コマンド処理部
１２５０    通信部
１２６０    記録部
１２７０    再生出力部
５１４３    デバイス別保存コンテンツリスト格納部
６１４４    保存先デバイス決定用情報格納部
８１９０    認証部
【図１】
0004649058.tif 000002
【図２】
0004649058.tif 000003
【図３】
0004649058.tif 000004
【図４】
0004649058.tif 000005
【図５】
0004649058.tif 000006
【図６】
0004649058.tif 000007
【図７】
0004649058.tif 000008
【図８】
0004649058.tif 000009
【図９】
0004649058.tif 000010
【図１０】
0004649058.tif 000011
【図１１】
0004649058.tif 000012
【図１２】
0004649058.tif 000013
【図１３】
0004649058.tif 000014
【図１４】
0004649058.tif 000015
【図１５】
0004649058.tif 000016
【図１６】
0004649058.tif 000017
【図１７】
0004649058.tif 000018
【図１８】
0004649058.tif 000019
【図１９】
0004649058.tif 000020
【図２０】
0004649058.tif 000021
【図２１】
0004649058.tif 000022
【図２２】
0004649058.tif 000023
【図２３】
0004649058.tif 000024
【図２４】
0004649058.tif 000025
【図２５】
0004649058.tif 000026
【図２６】
0004649058.tif 000027
【図２７】
0004649058.tif 000028
【図２８】
0004649058.tif 000029